(57)【要約】【課題】受電端子に適正な外部電源装置の給電端子が接続されているにも拘らずエラー処理が行われるという不具合を回避する。【解決手段】テープ印字装置１は、ＤＣジャック３３の正極と回路の基準電位となる接地部位との間に接続され、電源電圧に対応する電荷を蓄積する電解コンデンサＣ１０１と、電解コンデンサＣ１０１に蓄積された電荷を吸収するために電解コンデンサＣ１０１と並列に接続される電解コンデンサＣ１０２と、ＤＣプラグ３４ＥがＤＣジャック３３に接続されるときには、ＡＣアダプタ３４と電解コンデンサＣ１０１とを導通し、かつ電解コンデンサＣ１０１と電解コンデンサＣ１０２とを非導通とする、開放状態に切り替わり、ＤＣプラグ３４ＥのＤＣジャック３３への接続が解除されるときには、電解コンデンサＣ１０１と電解コンデンサＣ１０２とを導通する閉成状態に切り替わる、切替機構３４Ｄを有する。【選択図】図２１
2016165829.tif 000002
【特許請求の範囲】
【請求項１】
被印字媒体を搬送する搬送手段、及び、前記搬送手段により搬送される前記被印字媒体に所望の印字を形成する印字手段を含む複数の動作機構と、
電圧を供給可能な外部電源装置の給電端子が接続される受電端子と、
前記複数の動作機構のうち少なくとも１つに備えられた負荷回路と、
電源電圧が供給される入力部を備え、前記負荷回路への電圧供給を制御する制御回路と、
前記受電端子の正極と回路の基準電位となる接地部位との間に接続され、前記電源電圧に対応する電荷を蓄積する第１蓄電手段と、
を有する印刷装置であって、
前記第１蓄電手段に蓄積された前記電荷を吸収するために前記第１蓄電手段と並列に接続される第２蓄電手段を有し、
前記制御回路は、
前記給電端子が前記受電端子に接続されるときには、前記外部電源装置と前記第１蓄電手段とを導通し、かつ前記第１蓄電手段と前記第２蓄電手段とを非導通とする、第１状態に切り替わり、前記給電端子の前記受電端子への接続が解除されるときには、前記第１蓄電手段と前記第２蓄電手段とを導通する第２状態に切り替わる、切替機構を有する
ことを特徴とする印刷装置。
【請求項２】
請求項１記載の印刷装置において、
前記受電端子は、
前記外部電源装置としてのＡＣアダプタの前記給電端子としてのＤＣプラグが接続されるＤＣジャックである
ことを特徴とする印刷装置。
【請求項３】
請求項２記載の印刷装置において、
前記第２蓄電手段は、
前記第１蓄電手段としての第１コンデンサよりも静電容量が大きな第２コンデンサである
ことを特徴とする印刷装置。
【請求項４】
請求項３記載の印刷装置において、
前記入力部に電圧を供給可能に接続される電池が収納される電池収納部をさらに有し、
前記第２コンデンサは、
前記電池収納部と並列に接続される
ことを特徴とする印刷装置。
【発明の詳細な説明】
【技術分野】
【０００１】
本発明は、被印字媒体に所望の印字を形成する印刷装置に関する。
【背景技術】
【０００２】
従来、被印字媒体に所望の印字を形成する印刷装置が知られている（例えば、特許文献１参照）。この従来技術の印刷装置（ラベル作成装置）においては、受電端子（コネクタ部）に外部電源装置（ＡＣアダプタ）の給電端子（出力端子）が接続され、操作手段（電源キー）の操作により電源が投入されると、外部電源装置から供給される供給電圧（アダプタ出力電圧）が電圧しきい値（入力上限電圧）より大きいか否かが判断され、供給電圧が電圧しきい値より大きい場合には、対応する報知が行われ、所定時間後に電源がオフされる。
【先行技術文献】
【特許文献】
【０００３】
【特許文献１】特開平８−３３１８８号公報
【発明の概要】
【発明が解決しようとする課題】
【０００４】
ここで、上記のように受電端子に外部電源装置の給電端子を接続する際に、操作者が誤って適正な外部電源装置よりも高電圧の外部電源装置の給電端子を接続してしまう可能性がある。このような接続異常状態では、上記高電圧の外部電源装置の給電端子から必要以上の電圧が供給されることとなり、印刷装置の故障の原因となるおそれがある。上記従来技術においては、供給電圧が電圧しきい値より大きいか否かの判断を行うことで、上記接続異常状態の検出を行い、接続異常状態が検出された場合には、電源をオフすることで、印刷装置の故障を防止している。
【０００５】
そして、上記のようにして電源がオフされた後、受電端子への上記高電圧の外部電源装置の給電端子の接続が解除され、受電端子に別の外部電源装置の給電端子が接続され、操作手段の操作により電源が投入されると、再度、供給電圧が電圧しきい値より大きいか否かが判断されることで、上記接続異常状態の検出が行われる。
【０００６】
ここで、受電端子への上記高電圧の外部電源装置の給電端子の接続が解除され、その後受電端子に適正な外部電源装置の給電端子が接続され、上記高電圧の外部電源装置の給電端子の接続が解除されてからあまり時間が経過していないときに操作手段の操作により電源が投入される場合があり得る。この場合には、印刷装置の回路に一般に備えられる蓄電手段に蓄積された、前回誤って受電端子に接続された上記高電圧の外部電源装置の給電端子から供給された高電圧に対応する電荷が、あまり放出されておらず、供給電圧が正常範囲よりも高い可能性がある。したがって、この場合には、上記従来技術においては、受電端子に適正な外部電源装置の給電端子が接続されているにも拘らず、上記判断において、供給電圧が正常範囲よりも高いと判断され、接続異常状態が検出されて、エラー処理（対応する報知及び電源オフ）が行われるという不具合を生じる可能性がある。
【０００７】
本発明の目的は、受電端子に適正な外部電源装置の給電端子が接続されているにも拘らずエラー処理が行われるという不具合を回避できる印刷装置を提供することにある。
【課題を解決するための手段】
【０００８】
上記目的を達成するために、本願発明は、被印字媒体を搬送する搬送手段、及び、前記搬送手段により搬送される前記被印字媒体に所望の印字を形成する印字手段を含む複数の動作機構と、電圧を供給可能な外部電源装置の給電端子が接続される受電端子と、前記複数の動作機構のうち少なくとも１つに備えられた負荷回路と、電源電圧が供給される入力部を備え、前記負荷回路への電圧供給を制御する制御回路と、前記受電端子の正極と回路の基準電位となる接地部位との間に接続され、前記電源電圧に対応する電荷を蓄積する第１蓄電手段と、を有する印刷装置であって、前記第１蓄電手段に蓄積された前記電荷を吸収するために前記第１蓄電手段と並列に接続される第２蓄電手段を有し、前記制御回路は、前記給電端子が前記受電端子に接続されるときには、前記外部電源装置と前記第１蓄電手段とを導通し、かつ前記第１蓄電手段と前記第２蓄電手段とを非導通とする、第１状態に切り替わり、前記給電端子の前記受電端子への接続が解除されるときには、前記第１蓄電手段と前記第２蓄電手段とを導通する第２状態に切り替わる、切替機構を有することを特徴とする。
【０００９】
本願発明の印刷装置においては、受電端子の正極と回路の基準電位となる接地部位との間に、電源電圧に対応する電荷を蓄積する蓄電手段（第１蓄電手段）が接続されている。
【００１０】
ここで、受電端子に外部電源装置の給電端子を接続する際に、操作者が誤って適正な外部電源装置（以下適宜「第１外部電源装置」という）よりも高電圧の外部電源装置（以下適宜「第２外部電源装置」という）の給電端子を接続してしまう可能性がある。このような接続異常状態では、第２外部電源装置の給電端子から必要以上の電圧が供給されることとなり、印刷装置の故障の原因となるおそれがある。
【００１１】
そこで、通常、印刷装置の故障を防止するために、操作者の所定の操作に対応して制御回路の制御動作が開始された後に、上記接続異常状態の検出が行われる。そして、接続異常状態が検出された場合には、制御回路の制御動作が停止される。
【００１２】
その後、操作者が、受電端子への第２外部電源装置の給電端子の接続を解除し、受電端子に別の外部電源装置の給電端子を接続して所定の操作を行うと、制御回路の制御動作が開始される。そして、通常、制御回路の入力部へ供給される供給電圧又はその分圧が正常範囲内であるか否かの判定が行われることで、再度、接続異常状態の検出が行われる。このとき、例えば、受電端子への第２外部電源装置の給電端子の接続が解除されず（又は、受電端子への第２外部電源装置の給電端子の接続が解除され、その後受電端子に別の第２外部電源装置の給電端子が接続され）、制御回路の制御動作が開始された場合には、上記判定において、供給電圧又はその分圧が正常範囲外であると判定され、接続異常状態が検出される。この場合には、エラー処理が行われる。一方、受電端子への第２外部電源装置の給電端子の接続が解除され、その後受電端子に第１外部電源装置の給電端子が接続され、制御回路の制御動作が開始された場合には、上記判定において、供給電圧又はその分圧が正常範囲内であると判定され、接続異常状態は検出されない。この場合には、エラー処理は行われない。
【００１３】
ここで、受電端子への第２外部電源装置の給電端子の接続が解除され、その後受電端子に第１外部電源装置の給電端子が接続され、第２外部電源装置の給電端子の接続が解除されてからあまり時間が経過していないときに制御回路の制御動作が開始される場合があり得る。この場合には、蓄電手段に蓄積された、前回誤って受電端子に接続された第２外部電源装置の給電端子から供給された高電圧に対応する電荷が、あまり放出されておらず、供給電圧又はその分圧が正常範囲よりも高い可能性がある。したがって、この場合には、受電端子に第１外部電源装置の給電端子が接続されているにも拘らず、上記判定において、供給電圧又はその分圧が正常範囲よりも高いと判定され、接続異常状態が検出されて、エラー処理が行われるという不具合を生じる可能性がある。
【００１４】
本願発明においては、受電端子への第２外部電源装置の給電端子の接続が解除された後、受電端子に第１外部電源装置の給電端子が接続されても、供給電圧又はその分圧がすぐには正常範囲内まで低下しないことがあることに対応して、第１蓄電手段に蓄積された電荷を吸収するために第１蓄電手段に並列に接続される第２蓄電手段と、切替機構とを設けている。すなわち、受電端子に第２外部電源装置の給電端子が接続されると、切替機構が第１状態に切り替わり、第２外部電源装置と第１蓄電手段とを導通すると共に、第１蓄電手段と第２蓄電手段とを非導通とする。この結果、第２外部電源装置の給電端子から受電端子を介して供給される正常範囲よりも高い電源電圧に対応する電荷を、第１蓄電手段に蓄積させつつ第２蓄電手段に蓄積させないようにすることができる。そして、受電端子への第２外部電源装置の給電端子の接続が解除されると、切替機構が第２状態に切り替わり、第１蓄電手段と第２蓄電手段とを導通する（第１蓄電手段と第２蓄電手段とが並列に接続された状態とする）。この結果、第１蓄電手段に蓄積された電荷を瞬時に第２蓄電手段に移動させ、迅速に供給電圧又はその分圧を正常範囲内まで低下させることが可能となる。
【００１５】
これにより、受電端子への第２外部電源装置の給電端子の接続が解除され、その後受電端子に第１外部電源装置の給電端子が接続され、第２外部電源装置の給電端子の接続が解除されてからあまり時間が経過していないときに制御回路の制御動作が開始される場合でも、制御回路の制御動作が開始されるよりも前に、供給電圧又はその分圧を正常範囲内まで低下させておくことができるので、受電端子に第１外部電源装置の給電端子が接続されているにも拘らずエラー処理が行われるという不具合を回避することができる。
【発明の効果】
【００１６】
本発明によれば、印刷装置の受電端子に適正な外部電源装置の給電端子が接続されているにも拘らずエラー処理が行われるという不具合を回避することができる。
【図面の簡単な説明】
【００１７】
【図１】本発明の第１実施形態のテープ印字装置の正面側を表す斜視図である。
【図２】テープ印字装置の背面側を表す斜視図である。
【図３】背面カバーを取り外した状態でテープ印字装置の筐体の内部構造を表す斜視図である。
【図４】テープ印字装置にＡＣアダプタが装着されていない状態での、ＡＣアダプタ及びテープ印字装置の電気的構成を表す回路図である。
【図５】テープ印字装置にＡＣアダプタが装着されている状態での、ＡＣアダプタ及びテープ印字装置の電気的構成を表す回路図である。
【図６】テープ印字装置に適正アダプタが装着され、制御基板部がアクティブ状態とされた場合を表す回路図である。
【図７】テープ印字装置に高電圧アダプタが装着され、制御基板部がアクティブ状態とされた場合を表す回路図である。
【図８】比較例における、テープ印字装置から高電圧アダプタが取り外され、その後テープ印字装置に適正アダプタが装着され、高電圧アダプタが取り外されてからあまり時間が経過していないときに制御基板部がアクティブ状態とされる場合における電圧変化挙動の例、及び、そのときの処理内容の例について説明するための説明図である。
【図９】第１実施形態における、テープ印字装置から高電圧アダプタが取り外され、その後テープ印字装置に適正アダプタが装着され、高電圧アダプタが取り外されてからあまり時間が経過していないときに制御基板部がアクティブ状態とされる場合における電圧変化挙動の例、及び、そのときの処理内容の例について説明するための説明図である。
【図１０】定電圧回路及びＣＰＵにより実行される処理内容を表すフローチャートである。
【図１１】電圧Ｖ９８が漸減しているか否かの判定を行う変形例における、テープ印字装置から高電圧アダプタが取り外され、その後テープ印字装置に適正アダプタが装着され、高電圧アダプタが取り外されてからあまり時間が経過していないときに制御基板部がアクティブ状態とされる場合における電圧変化挙動の例、及び、そのときの処理内容の例について説明するための説明図である。
【図１２】定電圧回路及びＣＰＵにより実行される処理内容を表すフローチャートである。
【図１３】電圧Ｖ９８が低下しているか否かの判定を行う変形例における、テープ印字装置から高電圧アダプタが取り外され、その後テープ印字装置に適正アダプタが装着され、高電圧アダプタが取り外されてからあまり時間が経過していないときに制御基板部がアクティブ状態とされる場合における電圧変化挙動の例、及び、そのときの処理内容の例について説明するための説明図である。
【図１４】定電圧回路及びＣＰＵにより実行される処理内容を表すフローチャートである。
【図１５】本発明の第２実施形態における、テープ印字装置から高電圧アダプタが取り外され、その後テープ印字装置に適正アダプタが装着され、高電圧アダプタが取り外されてからあまり時間が経過していないときに制御基板部がアクティブ状態とされる場合における電圧変化挙動の例、及び、そのときの処理内容の例について説明するための説明図である。
【図１６】定電圧回路及びＣＰＵにより実行される処理内容を表すフローチャートである。
【図１７】本発明の第３実施形態のテープ印字装置にＡＣアダプタが装着されていない状態での、ＡＣアダプタ及びテープ印字装置の電気的構成を表す回路図である。
【図１８】テープ印字装置にＡＣアダプタが装着されている状態での、ＡＣアダプタ及びテープ印字装置の電気的構成を表す回路図である。
【図１９】定電圧回路及びＣＰＵにより実行される処理内容を表すフローチャートである。
【図２０】テープ印字装置に高電圧アダプタが装着された場合を表す回路図である。
【図２１】テープ印字装置から高電圧アダプタが取り外された場合を表す回路図である。
【図２２】第３実施形態における、テープ印字装置から高電圧アダプタが取り外され、その後テープ印字装置に適正アダプタが装着され、高電圧アダプタが取り外されてからあまり時間が経過していないときに制御基板部がアクティブ状態とされる場合における電圧変化挙動の例、及び、そのときの処理内容の例について説明するための説明図である。
【図２３】他の外部電源装置を用いる変形例の電源コードユニットを表す斜視図である。
【発明を実施するための形態】
【００１８】
以下、本発明の実施形態について図面を参照しつつ説明する。なお、図面中に「前」「後」「左」「右」「上」「下」の注記がある場合は、明細書中の説明における「前」「後」「左」「右」「上」「下」とは、その注記された方向を指す。
【００１９】
＜第１実施形態＞
まず、本発明の第１実施形態について説明する。
【００２０】
＜テープ印字装置の概略構成＞
まず、図１及び図２を参照しつつ、本実施形態のテープ印字装置の概略構成について説明する。
【００２１】
図１及び図２に示すように、本実施形態のテープ印字装置１（印刷装置に相当）は、樹脂製の筐体２と、筐体２の背面部（後面部）全体を覆うように着脱可能に取り付けられる樹脂製の背面カバー３とを備える。筐体２は、前側筐体４と、後側筐体５とを備える。
【００２２】
前側筐体４の中央部表面には、文字等を入力するための文字キーや印刷を実行させるための印刷キー、電源をオン・オフするための電源キー等の各種のキー６（操作手段に相当）が配列されたキー配列部７が設けられている。また、前側筐体４の上側表面の中央部には、左右方向に横長の窓部８が穿設され、窓部８の中には、キー６を介して入力された文字等を表示する液晶ディスプレイ９が配設されている。また、筐体２の液晶ディスプレイ９の左側面部には、カッターレバー１０が設けられている。操作者は、カッターレバー１０を親指等により内側に押すことで、筐体２の上端部に形成されたテープ排出口１１から排出される、後述のサーマルヘッド２２による印字形成後の被印字テープ１２（被印字媒体に相当。後述の図３参照）を、切断刃（図示せず）により切断させ、所望の印字が被印字テープ１２に形成された印刷物としての印字ラベル（図示せず）とすることができる。なお、被印字テープ１２は、文字等が印刷される受像層、貼り付け対象に貼り付けるための接着層、及び接着層の接着面を保護する剥離紙が積層されて構成されている。
【００２３】
また、筐体２の下側の左右幅寸法は、筐体２の上側の左右幅寸法よりも少し狭く形成され、後側筐体５の左右両側部には、グリップ部材１３Ａ，１３Ｂが取り付けられている。グリップ部材１３Ａ，１３Ｂの表面には、上下方向に沿って３本の突条１４が形成されている。
【００２４】
また、テープ印字装置１には、上端部を被覆する第１保護部材と、第１保護部材とは別体に形成され下端部を被覆する第２保護部材とが取り付けられている。第１及び第２保護部材は、筐体２と背面カバー３との間で２つに分割されて構成されている。すなわち、筐体２には、第１保護部材１５Ａと第２保護部材１６Ａとが取り付けられ、背面カバー３には、第１保護部材１５Ｂと第２保護部材１６Ｂとが取り付けられている。これにより、操作者は、第１及び第２保護部材１５Ａ，１５Ｂ，１６Ａ，１６Ｂがテープ印字装置１に取り付けられた状態で、背面カバー３を後側筐体５に対し着脱することができる。
【００２５】
＜筐体の内部構造＞
次に、図３を参照しつつ、筐体２の内部構造について説明する。
【００２６】
図３に示すように、後側筐体５内の上側には、被印字テープ１２を供給するテープカセット２０が収納される、テープカセット２０の外形とほぼ同じ略四角形状のカセット収納部２１が設けられている。また、カセット収納部２１の右端縁部近傍には、サーマルヘッド２２（印字手段に相当）が取り付けられた薄板状のサーマルヘッド取付部２３が、上下方向に沿うように略直角に立設されている。サーマルヘッド２２は、後述のテープ搬送機構により搬送される被印字テープ１２に対し所望の印字を形成する。また、サーマルヘッド２２に対向するカセット収納部２１の右側部に設けられた駆動部２４には、被印字テープ１２を搬送するテープ搬送機構（搬送手段に相当。図示せず）が設けられたプラテンホルダ（図示せず）が回動可能に設けられている。テープ搬送機構は、駆動モータ（図示せず）により駆動される。
【００２７】
背面カバー３が後側筐体５に取り付けられる際には、背面カバー３の内側面に設けられた突起部（図示せず）が駆動部２４の係合孔２５内に進入する。その際、プラテンホルダがサーマルヘッド２２側に回動すると共に、テープカセット２０内の被印字テープ１２の一部がサーマルヘッド２２に押し付けられる。この状態で、サーマルヘッド２２により印字形成された被印字テープ１２が、テープ搬送機構により搬送され、テープ排出口１１から排出される。
【００２８】
また、後側筐体５内の下側には、電池３８（後述の図４等参照）を６本並べて収納可能な電池収納部２７が形成されている。なお、電池収納部２７に収納される６本の電池３８は直列に接続される。また、前側筐体４の内部には、制御基板部３７（後述の図４等参照）が配設されている。
【００２９】
また、筐体２の下端部には、ＤＣジャック３３（受電端子に相当。前述の図１も参照）が設けられている。ＤＣジャック３３は、外部電源装置としてのＡＣアダプタ３４（後述の図４等参照）のＤＣプラグ３４Ｅ（給電端子に相当）の接続口（差込口）である。テープ印字装置１は、ＤＣジャック３３に対しＡＣアダプタ３４のＤＣプラグ３４Ｅが接続されることで、ＡＣアダプタ３４を駆動電源として用いることが可能である。また、テープ印字装置１は、電池収納部２７に電池３８が収納されている場合には、ＤＣジャック３３に対しＡＣアダプタ３４のＤＣプラグ３４Ｅが接続されていないときに、電池３８を駆動電源として用いることが可能である。すなわち、テープ印字装置１は、駆動電源としてＡＣアダプタ３４及び電池３８の２種類からどちらか一方を選択的に使用可能な多電源方式である。
【００３０】
また、背面カバー３が後側筐体５に取り付けられる際には、背面カバー３の下端部に形成された第１差込部２８が、後側筐体５の下端部に設けられた差込溝２９に差し込まれた後、背面カバー３の上端部に形成された第２差込部３０（前述の図２参照）が、後側筐体５の上端部に設けられた固定部に嵌合される。これにより、背面カバー３が後側筐体５に取り付けられる。操作者は、背面カバー３が後側筐体５から取り外された状態で、テープカセット２０や電池３８の交換を行うことができる。
【００３１】
また、背面カバー３の後側筐体５に収納されたテープカセット２０に対向する部分には、確認窓３２（前述の図２も参照）が設けられている。なお、上記保護部材１５Ｂは、確認窓３２を覆うことなく背面カバー３に取り付けられている。操作者は、カセット収納部２１に収納されたテープカセット２０の種類を、背面カバー３を後側筐体５から取り外すことなく、確認窓３２を通して確認することができる。
【００３２】
＜ＡＣアダプタ及びテープ印字装置の電気的構成＞
次に、図４及び図５を参照しつつ、本実施形態のＡＣアダプタ３４及びテープ印字装置１の電気的構成について説明する。なお、図４は、テープ印字装置１のＤＣジャック３３に対しＡＣアダプタ３４のＤＣプラグ３４Ｅが接続されていない（以下適宜、単に「テープ印字装置１にＡＣアダプタ３４が装着されていない」等という）状態に対応する。また、図５は、テープ印字装置１のＤＣジャック３３に対しＡＣアダプタ３４のＤＣプラグ３４Ｅが接続されている（以下適宜、単に「テープ印字装置１にＡＣアダプタ３４が装着されている」等という）状態に対応する。
【００３３】
図４及び図５に示すように、本実施形態のＡＣアダプタ３４は、ＡＣコンセント（図示せず）側に接続されるＡＣプラグ３４Ｃと、ＡＣプラグ３４Ｃと接続された電圧変換部３４Ｄと、電圧変換部３４Ｄと接続された上記ＤＣプラグ３４Ｅとを有する。ＤＣプラグ３４Ｅは、上述のようにテープ印字装置１のＤＣジャック３３に接続可能であり、正極側の第１端子３４Ａと、負極側の第２端子３４Ｂとを有する。
【００３４】
また、本実施形態のテープ印字装置１は、上記ＤＣジャック３３と、上記電池収納部２７と、バイパス電源回路４６と、定電圧回路４７と、電解コンデンサＣ１０１（蓄電手段に相当）と、逆流防止ダイオードＤ１と、プルアップ抵抗Ｒ１及び抵抗Ｒ２，Ｒ３と、ツェナーダイオードＤｚと、抵抗Ｒ１０１，Ｒ１０２と、上記制御基板部３７と、スイッチ９９と、供給スイッチ４０と、負荷３９とを有する。
【００３５】
ＤＣジャック３３には、上述のようにＡＣアダプタ３４のＤＣプラグ３４Ｅが接続可能である。ＤＣジャック３３は、ＤＣプラグ３４Ｅの第１端子３４Ａが接続されると共に正極側母線ＢＰが接続された正極側の第１端子３３Ａと、ＤＣプラグ３４Ｅの第２端子３４Ｂが接続されると共に負極側母線ＢＮが接続された負極側の第２端子３３Ｂとを有する。第１端子３３Ａは、正極側母線ＢＰを介して負荷３９の後述の負荷回路と接続されると共に、正極側母線ＢＰを介して定電圧回路４７及び電解コンデンサＣ１０１と接続されている。また、第１端子３３Ａには、テープ印字装置１にＡＣアダプタ３４が装着されたときに第１端子３３Ａに対し開放されるブレーク接点３３Ｃが設けられている。ブレーク接点３３Ｃは、電池収納部２７の正極側（電池収納部２７に収納される電池３８の正極側に対応する側）と接続されている。なお、第１端子３３Ａ及びブレーク接点３３Ｃにより、切替機構３３Ｄが構成されている。
【００３６】
すなわち、テープ印字装置１にＡＣアダプタ３４が装着されないとき（図４の状態のとき）には、切替機構３３Ｄは、ブレーク接点３３Ｃが第１端子３３Ａに対し閉成された状態（以下適宜「閉成状態」という）となり、電池収納部２７の正極側と定電圧回路４７及び電解コンデンサＣ１０１とが導通される。この結果、電池収納部２７に電池３８が収納されている場合には、電池３８の正極側の電圧Ｖｂ（以下適宜「電池電圧Ｖｂ」という）が、ブレーク接点３３Ｃ、第１端子３３Ａ、及び正極側母線ＢＰを介して、定電圧回路４７及び電解コンデンサＣ１０１に供給される。
【００３７】
そして、テープ印字装置１にＡＣアダプタ３４が装着されたとき（図５の状態のとき）には、切替機構３３Ｄは、ブレーク接点３３Ｃが第１端子３３Ａに対し開放された状態（以下適宜「開放状態」という）となり、ＡＣアダプタ３４と定電圧回路４７及び電解コンデンサＣ１０１とが導通され、かつ電池収納部２７の正極側と定電圧回路４７及び電解コンデンサＣ１０１とが非導通となる。この結果、電池収納部２７に電池３８が収納されているか否かに拘らず、ＡＣアダプタ３４の電圧変換部３４Ｄの出力電圧Ｖａｄ（電源電圧に相当。以下適宜「アダプタ電圧Ｖａｄ」という）が、ＤＣプラグ３４Ｅの第１端子３４Ａ、ＤＣジャック３３の第１端子３３Ａ、及び正極側母線ＢＰを介して、定電圧回路４７及び電解コンデンサＣ１０１に供給される。
【００３８】
バイパス電源回路４６は、電池収納部２７の正極側と定電圧回路４７との間に接続され、ツェナーダイオード４３及びダイオード４５が直列に接続されて構成されている。
【００３９】
定電圧回路４７は、供給される正極側母線ＢＰの電圧Ｖｂｐ（供給電圧に相当）を所定の電圧値に安定化し、ロジック電圧Ｖｃｃとして制御基板部３７に供給する。この例では、ロジック電圧Ｖｃｃは、３［Ｖ］となるように安定化されている。
【００４０】
電解コンデンサＣ１０１は、この例では有極性の電解コンデンサであり、正極側母線ＢＰと回路の基準電位となる接地部位（ＧＮＤ）に接続された負極側母線ＢＮとの間に接続され、上記電圧Ｖｂｐに対応する電荷を蓄積したり、蓄積した電荷を放出することで、電圧Ｖｂｐの脈動成分を平滑化する。
【００４１】
逆流防止ダイオードＤ１は、負極側母線ＢＮに設けられ、アノード側が電池収納部２７の負極側（電池収納部２７に収納される電池３８の負極側に対応する側）と接続され、カソード側がＤＣジャック３３の第２端子３３Ｂと接続されている。
【００４２】
プルアップ抵抗Ｒ１及び抵抗Ｒ２，Ｒ３は、直列に接続されている。プルアップ抵抗Ｒ１と抵抗Ｒ２との間の接続点５２は、ＤＣジャック３３の第２端子３３Ｂと接続されている。また、抵抗Ｒ３には、ツェナーダイオードＤｚが並列に接続されている。この例では、プルアップ抵抗Ｒ１及び抵抗Ｒ２，Ｒ３のそれぞれの抵抗値は、全て１０［ｋΩ］に設定されている。この結果、上記接続点５２の電圧Ｖ５２は、ＤＣジャック３３の第２端子３３Ｂ側の電圧を所定の割合（この例では１／２）に分圧した電圧となる。また、抵抗Ｒ２，Ｒ３間の接続点５３の電圧Ｖ５３は、上記電圧Ｖ５２をさらに所定の割合（この例では１／２）に分圧した電圧となる。
【００４３】
抵抗Ｒ１０１，Ｒ１０２は、直列に接続されている。抵抗Ｒ１０１は、スイッチ９９を介して正極側母線ＢＰと接続され、抵抗Ｒ１０２は、負極側母線ＢＮと接続されている。この例では、抵抗Ｒ１０１の抵抗値は４０［ｋΩ］、抵抗Ｒ１０２の抵抗値は１０［ｋΩ］に設定されている。この結果、スイッチ９９が閉成した状態での抵抗Ｒ１０１，Ｒ１０２間の接続点９８の電圧Ｖ９８は、上記電圧Ｖｂｐを所定の割合（この例では１／５）に分圧した電圧となる。
【００４４】
制御基板部３７は、上記液晶ディスプレイ９と、Ａ／Ｄ入力部４８と、ＲＯＭ５４と、ＲＡＭ５５と、ＣＰＵ５１とを備える。Ａ／Ｄ入力部４８は、上記接続点５３，９８にそれぞれ接続され、上記電圧Ｖ５３，Ｖ９８をそれぞれ測定し、測定結果をＣＰＵ５１に出力する。ＲＯＭ５４には、テープ印字装置１を動作させる各種のプログラム及びデータ等が格納されている。ＲＡＭ５５は、ＣＰＵ５１の演算結果等を一時的に記憶する。ＣＰＵ５１は、ＲＡＭ５５の一時記憶機能を利用しつつＲＯＭ５４に予め記憶されたプログラムを実行し、テープ印字装置１全体の制御を行う。
【００４５】
なお、上記切替機構３３Ｄ（第１端子３３Ａ及びブレーク接点３３Ｃ）、定電圧回路４７、及び制御基板部３７の各要素（液晶ディスプレイ９、Ａ／Ｄ入力部４８、ＲＯＭ５４、ＲＡＭ５５、及びＣＰＵ５１）が、各請求項記載の制御回路を構成し、そのうちの定電圧回路４７が、入力部に相当する。
【００４６】
スイッチ９９は、正極側母線ＢＰと上記抵抗Ｒ１０１との間に接続されると共に、ＣＰＵ５１と接続されている。スイッチ９９は、ＣＰＵ５１により、Ａ／Ｄ入力部４８による上記電圧Ｖ９８の測定のときに閉成するようにオン制御され、それ以外のときには開放するようにオフ制御される。
【００４７】
供給スイッチ４０は、正極側母線ＢＰに設けられ、ＣＰＵ５１と接続されている。供給スイッチ４０は、ＣＰＵ５１により、後述の印刷処理等のときに閉成するようにオン制御され、それ以外のときには開放するようにオフ制御される。
【００４８】
負荷３９は、上記サーマルヘッド２２、テープ搬送機構、駆動モータ等を含む複数の動作機構のうち、駆動電圧により作動する負荷回路を備える動作機構の総称である。例えば、負荷３９としては、負荷回路としての複数の発熱素子（図示せず）を備えたサーマルヘッド２２や、負荷回路としてのコイル（図示せず）を備えた駆動モータ等が挙げられる。負荷３９の負荷回路には、後述の印刷処理等のときに、供給スイッチ４０がオン制御されることで、駆動電圧が供給される一方、それ以外のときには、供給スイッチ４０がオフ制御されることで、駆動電圧が供給されない。
【００４９】
＜本実施形態の特徴＞
上記基本構成において、本実施形態の特徴は、テープ印字装置１のＤＣジャック３３に適正なＡＣアダプタ３４のＤＣプラグ３４Ｅが接続されているにも拘らずエラー処理が行われるという不具合を回避する手法にある。以下、その詳細について説明する。なお、以下では、電池収納部２７に電池３８が収納されておらず、テープ印字装置１の駆動電源としてＡＣアダプタ３４が用いられる場合を例にとって説明する。
【００５０】
すなわち、操作者がテープ印字装置１のＤＣジャック３３にＡＣアダプタ３４のＤＣプラグ３４Ｅを接続して上記電源キーのオン操作（所定の操作に相当）を行うと、制御基板部３７の各要素の制御動作を開始するウェイクアップ処理（開始処理に相当）が実行され、スリープ状態（スリープモード）の制御基板部３７がアクティブ状態（アクティブモード）とされる。この例では、スリープ状態を、定電圧回路４７からロジック電圧Ｖｃｃが供給されず、全ての要素の制御動作が停止される状態とし、アクティブ状態を、定電圧回路４７からロジック電圧Ｖｃｃが供給され、各要素の制御動作が実行される状態とする。なお、スリープ状態及びアクティブ状態は、上記の状態に限られず、例えば、スリープ状態を、定電圧回路４７からロジック電圧Ｖｃｃが供給されるが、少なくとも一部の要素の制御動作が停止される状態としてもよい。
【００５１】
ここで、上記のようにテープ印字装置１のＤＣジャック３３にＡＣアダプタ３４のＤＣプラグ３４Ｅを接続する際に、操作者が誤って、テープ印字装置１の定格電圧（第１電圧に相当）を供給可能なＡＣアダプタ３４ａ（後述の図６参照。以下適宜「適正アダプタ３４ａ」という）のＤＣプラグ３４Ｅではなく、テープ印字装置１の定格電圧よりも高い電圧（第２電圧に相当）を供給可能なＡＣアダプタ３４ｂ（後述の図７参照。以下適宜「高電圧アダプタ３４ｂ」という）のＤＣプラグ３４Ｅを接続してしまう可能性がある。なお、適正アダプタ３４ａが、各請求項記載の第１外部電源装置及び第１ＡＣアダプタに相当する。また、高電圧アダプタ３４ｂが、各請求項記載の第２外部電源装置及び第２ＡＣアダプタに相当する。
【００５２】
上記のような接続異常状態では、高電圧アダプタ３４ｂのＤＣプラグ３４Ｅからテープ印字装置１の定格電圧よりも高い電圧が供給されることとなり、テープ印字装置１の故障の原因となるおそれがある。
【００５３】
＜接続異常状態の検出＞
そこで本実施形態では、上記のようにして制御基板部３７がアクティブ状態とされた後に、Ａ／Ｄ入力部４８により測定される上記電圧Ｖ９８の値を用いて、上記接続異常状態の検出が行われる。以下、その検出手法について説明する。
【００５４】
なお、以下では、テープ印字装置１の定格電圧が９［Ｖ］である場合を例にとって説明する。また、上述のように、この例では、抵抗Ｒ１０１の抵抗値は４０［ｋΩ］、抵抗Ｒ１０２の抵抗値は１０［ｋΩ］に設定されている。
【００５５】
（Ａ）適正アダプタ装着
まず、図６を参照しつつ、テープ印字装置１に定格電圧が９［Ｖ］の適正アダプタ３４ａが装着された場合について想定する。図６に示すように、テープ印字装置１に定格電圧（アダプタ電圧Ｖａｄ）が９［Ｖ］の適正アダプタ３４ａが装着され、制御基板部３７がアクティブ状態とされた場合には、上記電圧Ｖｂｐの値は、９［Ｖ］となる。この結果、Ａ／Ｄ入力部４８により測定される上記電圧Ｖ９８の値は、９［Ｖ］を１／５にした１．８［Ｖ］となる。
【００５６】
（Ｂ）高電圧アダプタ装着
次に、図７を参照しつつ、テープ印字装置１に定格電圧が１５［Ｖ］の高電圧アダプタ３４ｂが装着された場合について想定する。図７に示すように、テープ印字装置１に定格電圧（アダプタ電圧Ｖａｄ）が１５［Ｖ］の高電圧アダプタ３４ｂが装着され、制御基板部３７がアクティブ状態とされた場合には、上記電圧Ｖｂｐの値は、１５［Ｖ］となる。この結果、Ａ／Ｄ入力部４８により測定される上記電圧Ｖ９８の値は、１５［Ｖ］を１／５にした３［Ｖ］となる。
【００５７】
ここで、本実施形態では、テープ印字装置１の定格電圧（この例では９［Ｖ］）に対応して、上記電圧Ｖ９８の値に関する所定の電圧しきい値（例えばテープ印字装置１の故障の原因とならない程度の電圧という観点で許容されるある程度のマージンを取った上限値）が設定されている。この例では、電圧しきい値は、上記電圧Ｖｂｐの値が１１［Ｖ］となる場合に対応する、２．２［Ｖ］に設定されている。そして、Ａ／Ｄ入力部４８により測定される上記電圧Ｖ９８の値が２．２［Ｖ］以上であるか否かの判定が行われることで、接続異常状態の検出が行われる。
【００５８】
このとき、例えば図６に示すように、テープ印字装置１に適正アダプタ３４ａが装着され、制御基板部３７がアクティブ状態とされた場合には、上記判定において、電圧Ｖ９８の値が２．２［Ｖ］未満であると判定され、接続異常状態は検出されない。この場合には、アクティブ状態の制御基板部３７が維持される。
【００５９】
一方、例えば図７に示すように、テープ印字装置１に高電圧アダプタ３４ｂが装着され、制御基板部３７がアクティブ状態とされた場合には、上記判定において、電圧Ｖ９８の値が２．２［Ｖ］以上であると判定され、接続異常状態が検出される。この場合には、エラー処理が行われる。すなわち、液晶ディスプレイ９に、対応するエラーメッセージ（例えば「不適正アダプタが接続されています。すぐに取り外してください。」）が一定時間（例えば３秒間）表示された後、制御基板部３７の各要素の制御動作を停止するスリープ処理（停止処理に相当）が実行され、アクティブ状態の制御基板部３７がスリープ状態とされる。液晶ディスプレイ９にエラーメッセージを表示することで、操作者に接続異常状態にあることを報知し、動作不具合が生じている原因が何であるかを認識させることができる。また、制御基板部３７をスリープ状態とすることで、テープ印字装置１の故障を防止することができる。
【００６０】
上記判定において接続異常状態が検出された場合には、上記のようにして制御基板部３７がスリープ状態とされた後、上記エラーメッセージに対応して、操作者が、テープ印字装置１のＤＣジャック３３への高電圧アダプタ３４ｂのＤＣプラグ３４Ｅの接続を解除し、ＤＣジャック３３に別のＡＣアダプタ３４のＤＣプラグ３４Ｅを接続して電源キーのオン操作を行うと、スリープ状態の制御基板部３７がアクティブ状態とされる。なお、テープ印字装置１のＤＣジャック３３への高電圧アダプタ３４ｂのＤＣプラグ３４Ｅの接続を解除することを、以下適宜、単に「テープ印字装置１から高電圧アダプタ３４ｂを取り外す」等という。
【００６１】
＜ＡＣアダプタ交換後に制御基板部がアクティブ状態とされた後の処理＞
（Ａ）比較例における処理
まず、本実施形態の比較例における、ＡＣアダプタ３４の交換後に制御基板部３７がアクティブ状態とされた後の処理内容等について説明する。なお、比較例のテープ印字装置１及びＡＣアダプタ３４の基本構成は、本実施形態のテープ印字装置１及びＡＣアダプタ３４の基本構成（前述の図１〜図５参照）と同様である。
【００６２】
比較例では、上記のようにしてＡＣアダプタ３４の交換後に制御基板部３７がアクティブ状態とされた後に、再度、電圧Ｖ９８の値が２．２［Ｖ］以上であるか否かの判定が行われることで、接続異常状態の検出が行われる。
【００６３】
このとき、例えば、テープ印字装置１から高電圧アダプタ３４ｂが取り外されず（又は、テープ印字装置１から高電圧アダプタ３４ｂが取り外され、その後テープ印字装置１に別の高電圧アダプタ３４ｂが装着され）、制御基板部３７がアクティブ状態とされた場合には、上記判定において、電圧Ｖ９８の値が２．２［Ｖ］以上であると判定され、接続異常状態が検出される。この場合には、上記エラー処理が行われる。
【００６４】
一方、テープ印字装置１から高電圧アダプタ３４ｂが取り外され、その後テープ印字装置１に適正アダプタ３４ａが装着され、制御基板部３７がアクティブ状態とされた場合には、上記判定において、電圧Ｖ９８の値が２．２［Ｖ］未満であると判定され、接続異常状態は検出されない。この場合には、上記エラー処理は行われず、アクティブ状態の制御基板部３７が維持される。
【００６５】
ここで、テープ印字装置１から高電圧アダプタ３４ｂが取り外され、その後テープ印字装置１に適正アダプタ３４ａが装着され、高電圧アダプタ３４ｂが取り外されてからあまり時間が経過していないときに制御基板部３７がアクティブ状態とされる場合があり得る。この場合には、上記電解コンデンサＣ１０１に蓄積された、前回誤ってテープ印字装置１に装着された高電圧アダプタ３４ｂから供給されたテープ印字装置１の定格電圧（この例では９［Ｖ］）よりも高いアダプタ電圧Ｖａｄに対応する電荷が、あまり放出されておらず、電圧Ｖ９８の値が２．２［Ｖ］以上となる可能性がある。したがって、この場合には、テープ印字装置１に適正アダプタ３４ａが装着されているにも拘らず、上記判定において、電圧Ｖ９８の値が２．２［Ｖ］以上であると判定され、接続異常状態が検出されて、上記エラー処理が行われるという不具合を生じる可能性がある。
【００６６】
以下、図８を参照しつつ、テープ印字装置１から高電圧アダプタ３４ｂが取り外され、その後テープ印字装置１に適正アダプタ３４ａが装着され、高電圧アダプタ３４ｂが取り外されてからあまり時間が経過していないときに制御基板部３７がアクティブ状態とされる場合における電圧Ｖｂｐの変化挙動の例、及び、そのときの比較例における処理内容の例について説明する。なお、図８のチャートでは、横軸に時刻ｔ、縦軸に電圧Ｖｂｐの値をとっている。
【００６７】
図８に示す例では、時刻ｔ１０で、操作者がテープ印字装置１に定格電圧が１５［Ｖ］の高電圧アダプタ３４ｂを装着すると、電圧Ｖｂｐの値が１５［Ｖ］となり、電解コンデンサＣ１０１に当該電圧Ｖｂｐに対応する電荷が蓄積される。
【００６８】
その後、時刻ｔ２０で、操作者が電源キーをオン操作すると、スリープ状態の制御基板部３７がアクティブ状態とされ、制御基板部３７の各要素により電力が消費されるが、電圧Ｖｂｐの値は１５［Ｖ］のままである。
【００６９】
そして、時刻ｔ３０で、電圧Ｖ９８の値が２．２［Ｖ］以上であるか否かの判定が行われることで、接続異常状態の検出が行われる。このときの電圧Ｖｂｐの値は１５［Ｖ］のままであるので、このときの電圧Ｖ９８の値は１５［Ｖ］を１／５にした３［Ｖ］である。したがって、上記判定において電圧Ｖ９８の値が２．２［Ｖ］以上であると判定され、接続異常状態が検出される。
【００７０】
これにより、液晶ディスプレイ９にエラーメッセージが一定時間表示された後、時刻ｔ４０で、アクティブ状態の制御基板部３７がスリープ状態とされる。なお、このときの電圧Ｖｂｐの値は１５［Ｖ］のままである。
【００７１】
その後、時刻ｔ５０で、操作者がテープ印字装置１から上記高電圧アダプタ３４ｂを取り外すと、テープ印字装置１の回路に僅かにリーク電流が流れるため、電解コンデンサＣ１０１から電荷が放出され、電圧Ｖｂｐの値が１５［Ｖ］から漸減する。但し、この状態における電解コンデンサＣ１０１からの電荷放出量は極小であり、電圧Ｖｂｐの低下率は極小である。
【００７２】
そして、時刻ｔ６０で、操作者がテープ印字装置１に定格電圧が９［Ｖ］の適正アダプタ３４ａを装着する。なお、ＤＣジャック３３の第２端子３３Ｂには逆流防止ダイオードＤ１のカソード側が接続されているので、電解コンデンサＣ１０１から放出される電荷は適正アダプタ３４ａへ移動しない。したがって、この状態でも、電解コンデンサＣ１０１からの電荷放出量は極小であり、電圧Ｖｂｐの低下率は極小である。
【００７３】
その後、上記時刻ｔ５０からあまり時間が経過していない時刻ｔ７０で、操作者が電源キーをオン操作すると、スリープ状態の制御基板部３７がアクティブ状態とされ、制御基板部３７の各要素により電力が消費されるため、電解コンデンサＣ１０１からの電荷放出量が大きくなり、電圧Ｖｂｐの低下率が大きくなって、時刻ｔ７０から一定時間経過後（例えば０．８秒後）の時刻ｔ１００で、電圧Ｖｂｐの値が１１［Ｖ］未満（正常範囲内）まで低下する。
【００７４】
そして、上記時刻ｔ１００よりも前の時刻ｔ８０で、再度、電圧Ｖ９８の値が２．２［Ｖ］以上であるか否かの判定が行われることで、接続異常状態の検出が行われる。このときの電圧Ｖｂｐの値は１４［Ｖ］までしか低下していないので、このときの電圧Ｖ９８の値は１４［Ｖ］を１／５にした２．８［Ｖ］である。したがって、上記判定において電圧Ｖ９８の値が２．２［Ｖ］以上であると判定され、テープ印字装置１に適正アダプタ３４ａが装着されているにも拘わらず、接続異常状態が誤検出されてしまう。
【００７５】
これにより、液晶ディスプレイ９にエラーメッセージが一定時間表示された後、時刻ｔ９０で、アクティブ状態の制御基板部３７がスリープ状態とされる。
【００７６】
（Ｂ）本実施形態における処理
次に、本実施形態における、ＡＣアダプタ３４の交換後に制御基板部３７がアクティブ状態とされた後の処理内容等について説明する。
【００７７】
本実施形態では、上記のように、テープ印字装置１から高電圧アダプタ３４ｂが取り外された後、テープ印字装置１に適正アダプタ３４ａが装着されても、電圧Ｖｂｐの値がすぐには１１［Ｖ］未満（正常範囲内）まで低下しないことに対応して、上記のようにしてＡＣアダプタ３４の交換後に制御基板部３７がアクティブ状態とされた後に、電圧Ｖ９８の所定の下降挙動の検出が行われる。
【００７８】
なお、本実施形態では、ＡＣアダプタ３４の交換後であるか否かを問わず制御基板部３７がアクティブ状態とされた後に、適宜のメモリにおける接続異常状態が検出された旨のエラー履歴（対応する履歴に相当）の記憶の有無を表すエラーフラグが立っているか否かの判定が行われる。
【００７９】
この判定において、エラーフラグが落ちている（言い換えれば、適宜のメモリにエラー履歴の記憶がない）と判定された場合には、接続異常状態が検出された後の実行ではないとみなされ、電圧Ｖ９８の値が２．２［Ｖ］以上であるか否かの判定が行われることで、接続異常状態の検出が行われる。そして、この判定において、電圧Ｖ９８の値が２．２［Ｖ］以上であると判定され、接続異常状態が検出された場合には、制御基板部３７がスリープ状態とされる前に、エラーフラグが立てられる（言い換えれば、適宜のメモリにエラー履歴が記憶される）。
【００８０】
一方、上記判定において、エラーフラグが立っている（言い換えれば、適宜のメモリにエラー履歴の記憶がある）と判定された場合には、接続異常状態が検出された後の実行であるとみなされ、電圧Ｖ９８の所定の下降挙動の検出が行われる。具体的には、上記のようにしてＡＣアダプタ３４の交換後に制御基板部３７がアクティブ状態とされた後、所定時間経過後に、当該所定時間経過後の電圧Ｖ９８が２．２［Ｖ］未満であるか否かの判定が行われる。上記所定時間は、テープ印字装置１から高電圧アダプタ３４ｂが取り外され、その後テープ印字装置１に適正アダプタ３４ａが装着され、高電圧アダプタ３４ｂが取り外された直後に制御基板部３７がアクティブ状態とされた場合における電圧Ｖｂｐの値が１１［Ｖ］未満（正常範囲内）まで低下する時間よりも長い時間（例えば１秒）に設定されている。
【００８１】
このとき、例えば、テープ印字装置１から高電圧アダプタ３４ｂが取り外されず、制御基板部３７がアクティブ状態とされた場合には、上記判定において、所定時間経過後の電圧Ｖ９８の値が２．２［Ｖ］以上であると判定される（電圧Ｖ９８の下降挙動は検出されない）。この場合には、接続異常状態である（接続異常状態が解消されていない）とみなされ、上記エラー処理が行われる。
【００８２】
一方、テープ印字装置１から高電圧アダプタ３４ｂが取り外され、その後テープ印字装置１に適正アダプタ３４ａが装着され、制御基板部３７がアクティブ状態とされた場合には、高電圧アダプタ３４ｂが取り外されてからあまり時間が経過していないときに制御基板部３７がアクティブ状態とされた場合であっても、上記判定において、所定時間経過後の電圧Ｖ９８の値が２．２［Ｖ］未満であると判定される（電圧Ｖ９８の下降挙動が検出される）。この場合には、接続異常状態ではない（接続異常状態が解消されている）とみなされ、上記エラー処理は行われず、エラーフラグが落とされ、アクティブ状態の制御基板部３７が維持される。
【００８３】
以下、図９を参照しつつ、テープ印字装置１から高電圧アダプタ３４ｂが取り外され、その後テープ印字装置１に適正アダプタ３４ａが装着され、高電圧アダプタ３４ｂが取り外されてからあまり時間が経過していないときに制御基板部３７がアクティブ状態とされる場合における電圧Ｖｂｐの変化挙動の例、及び、そのときの本実施形態における処理内容の例について説明する。なお、図９は、前述の図８に対応する図である。
【００８４】
図９に示す例では、前述の図８と同様、時刻ｔ１０で、操作者がテープ印字装置１に定格電圧が１５［Ｖ］の高電圧アダプタ３４ｂを装着すると、電圧Ｖｂｐの値が１５［Ｖ］となる。
【００８５】
その後、前述の図８と同様、時刻ｔ２０で、操作者が電源キーをオン操作すると、スリープ状態の制御基板部３７がアクティブ状態とされる。なお、このときの電圧Ｖｂｐの値は１５［Ｖ］のままである。
【００８６】
そして、エラーフラグが立っているか否かの判定が行われ、エラーフラグが落ちていると判定されたため、前述の図８と同様、時刻ｔ３０で、電圧Ｖ９８の値が２．２［Ｖ］以上であるか否かの判定が行われることで、接続異常状態の検出が行われる。このときの電圧Ｖｂｐの値は１５［Ｖ］のままであるので、このときの電圧Ｖ９８の値は１５［Ｖ］を１／５にした３［Ｖ］である。したがって、上記判定において電圧Ｖ９８の値が２．２［Ｖ］以上であると判定され、接続異常状態が検出される。
【００８７】
これにより、時刻ｔ３５で、エラーフラグが立てられ、前述の図８と同様、液晶ディスプレイ９にエラーメッセージが一定時間表示された後、時刻ｔ４０で、アクティブ状態の制御基板部３７がスリープ状態とされる。なお、このときの電圧Ｖｂｐの値は１５［Ｖ］のままである。
【００８８】
その後、前述の図８と同様、時刻ｔ５０で、操作者がテープ印字装置１から上記高電圧アダプタ３４ｂを取り外すと、電圧Ｖｂｐの値が１５［Ｖ］から漸減する。
【００８９】
そして、前述の図８と同様、時刻ｔ６０で、操作者がテープ印字装置１に定格電圧が９［Ｖ］の適正アダプタ３４ａを装着する。
【００９０】
その後、前述の図８と同様、上記時刻ｔ５０からあまり時間が経過していない時刻ｔ７０で、操作者が電源キーをオン操作すると、スリープ状態の制御基板部３７がアクティブ状態とされる。
【００９１】
そして、前述の図８と同様、上記時刻ｔ１００よりも前の時刻ｔ８０で、電圧Ｖ９８の値が２．２［Ｖ］以上であるか否かの判定が行われる。このときの電圧Ｖｂｐの値は１４［Ｖ］までしか低下していないので、このときの電圧Ｖ９８の値は１４［Ｖ］を１／５にした２．８［Ｖ］である。したがって、上記判定において電圧Ｖ９８の値が２．２［Ｖ］以上であると判定されるが、この時点では接続異常状態とはみなされない。
【００９２】
その後、上記時刻ｔ７０から所定時間経過後（例えば１秒後）の、上記時刻ｔ１００よりも後の時刻ｔ１１０で、電圧Ｖ９８の値が２．２［Ｖ］未満であるか否かの判定が行われる。このときの電圧Ｖｂｐの値は１１［Ｖ］よりも低いので、このときの電圧Ｖ９８の値は２．２［Ｖ］よりも低い。したがって、上記判定において電圧Ｖ９８の値が２．２［Ｖ］未満であると判定され（電圧Ｖ９８の下降挙動が検出され）、接続異常状態ではない（接続異常状態が解消されている）とみなされ、エラーフラグが落とされ、アクティブ状態の制御基板部３７が維持される。
【００９３】
＜制御フロー＞
次に、図１０を参照しつつ、上記手法を実現するために、本実施形態におけるテープ印字装置１の定電圧回路４７及びＣＰＵ５１により実行される処理内容について説明する。
【００９４】
図１０において、このフローチャートに示す処理は、例えば操作者により上記電源キーがオン操作されることを契機に開始される。
【００９５】
まず、ステップＳ１０で、定電圧回路４７は、上記ウェイクアップ処理を実行し、スリープ状態の制御基板部３７をアクティブ状態とする。なお、このステップＳ１０を実行する定電圧回路４７が、各請求項記載の開始処理手段として機能する。
【００９６】
その後、ステップＳ２０で、ＣＰＵ５１は、上記エラーフラグが立っているか否かを判定することで、後述のステップＳ４０で上記接続異常状態が検出された後の実行であるか否かを判定する。なお、このステップＳ２０を実行するＣＰＵ５１が、各請求項記載の履歴検出手段として機能する。エラーフラグが落ちている場合には、ステップＳ２０の判定は満たされず、接続異常状態が検出された後の実行ではないとみなされ、ステップＳ３０に移る。
【００９７】
ステップＳ３０では、ＣＰＵ５１は、Ａ／Ｄ入力部４８からこのときの上記電圧Ｖ９８の値を取得する。
【００９８】
そして、ステップＳ４０で、ＣＰＵ５１は、上記ステップＳ３０で取得された電圧Ｖ９８の値が２．２［Ｖ］以上である否かを判定することで、上記接続異常状態の検出を行う。なお、このステップＳ４０を実行するＣＰＵ５１が、各請求項記載の状態検出手段として機能する。電圧Ｖ９８の値が２．２［Ｖ］未満である場合には、ステップＳ４０の判定は満たされず（接続異常状態は検出されず）、ステップＳ５０に移る。
【００９９】
ステップＳ５０では、ＣＰＵ５１は、操作者による上記文字キーを介した所望の印字データを入力する操作の受け付けを開始し、当該操作に対応した印字データの取得を図り、印字データを取得したら、ステップＳ５５に移る。
【０１００】
ステップＳ５５では、ＣＰＵ５１は、操作者による上記印刷キーのオン操作の受け付けを開始し、印刷キーがオン操作されたら、ステップＳ６０に移る。
【０１０１】
ステップＳ６０では、ＣＰＵ５１は、複数の負荷３９の少なくとも一部の負荷回路に駆動電圧が供給されるように供給スイッチ４０をオン・オフ制御することで、複数の負荷３９の少なくとも一部を連携して制御し、上記ステップＳ５０で取得された印字データが被印字テープ１２に形成された印字ラベルを作成する印刷処理を実行する。
【０１０２】
その後、ステップＳ７０で、ＣＰＵ５１は、操作者による上記電源キーのオフ操作の受け付けを開始し、電源キーがオフ操作されたら、ステップＳ８０に移る。
【０１０３】
ステップＳ８０では、定電圧回路４７は、上記スリープ処理を実行し、アクティブ状態の制御基板部３７をスリープ状態とする。なお、このステップＳ８０を実行する定電圧回路４７が、各請求項記載の停止処理手段として機能する。これにより、このフローチャートに示す処理が終了される。なお、このフローチャートに示す処理は、操作者により上記電源キーがオン操作されることを契機に再度開始される。
【０１０４】
一方、上記ステップＳ４０において、電圧Ｖ９８の値が２．２［Ｖ］以上である場合には、ステップＳ４０の判定が満たされ（接続異常状態が検出され）、ステップＳ９０に移る。
【０１０５】
ステップＳ９０では、ＣＰＵ５１は、液晶ディスプレイ９に上記エラーメッセージを一定時間表示させることで、接続異常状態が検出された旨の報知を行う。なお、このステップＳ９０を実行するＣＰＵ５１が、各請求項記載の報知手段として機能する。
【０１０６】
そして、ステップＳ１００で、ＣＰＵ５１は、上記エラーフラグを立てることで、適宜のメモリに上記エラー履歴を記憶する。なお、このステップＳ１００を実行するＣＰＵ５１が、各請求項記載の記憶手段として機能する。その後、上記ステップＳ８０に移り、ＣＰＵ５１は、上記と同様の処理を行う。
【０１０７】
一方、上記ステップＳ２０において、エラーフラグが立っている場合には、ステップＳ２０の判定が満たされ、接続異常状態が検出された後の実行であるとみなされ、ステップＳ１１０に移る。
【０１０８】
ステップＳ１１０では、ＣＰＵ５１は、Ａ／Ｄ入力部４８からこのときの上記電圧Ｖ９８の値を取得する。
【０１０９】
その後、ステップＳ１２０で、ＣＰＵ５１は、上記ステップＳ１１０で取得された電圧Ｖ９８の値が２．２［Ｖ］以上である否かを判定する。電圧Ｖ９８の値が２．２［Ｖ］未満である場合には、ステップＳ１２０の判定は満たされず、接続異常状態ではない（接続異常状態が解消されている）とみなされ、ステップＳ１３０に移る。
【０１１０】
ステップＳ１３０では、ＣＰＵ５１は、上記エラーフラグを落とすことで、適宜のメモリから上記エラー履歴を消去する。その後、上記ステップＳ５０に移り、ＣＰＵ５１は、上記と同様の処理を行う。
【０１１１】
一方、上記ステップＳ１２０において、電圧Ｖ９８の値が２．２［Ｖ］以上である場合には、ステップＳ１２０の判定が満たされるが、この時点では接続異常状態とはみなされず、ステップＳ１５５に移る。
【０１１２】
ステップＳ１５５では、ＣＰＵ５１は、上記ステップＳ１０の実行により制御基板部３７がアクティブ状態とされてから上記所定時間が経過するまで待機し、所定時間が経過したら、ステップＳ１６５に移る。
【０１１３】
ステップＳ１６５では、ＣＰＵ５１は、Ａ／Ｄ入力部４８からこのとき（上記所定時間経過後）の電圧Ｖ９８の値を取得する。
【０１１４】
そして、ステップＳ１７５で、ＣＰＵ５１は、上記ステップＳ１６５で取得された上記所定時間経過後の電圧Ｖ９８の値が２．２［Ｖ］未満である否かを判定することで、電圧Ｖ９８の所定の下降挙動を検出する。なお、このステップＳ１７５を実行するＣＰＵ５１が、各請求項記載の挙動検出手段として機能する。電圧Ｖ９８の値が２．２［Ｖ］以上である場合には、ステップＳ１７５の判定は満たされず（電圧Ｖ９８の下降挙動は検出されず）、接続異常状態である（接続異常状態が解消されていない）とみなされ、ステップＳ１８０に移る。
【０１１５】
ステップＳ１８０では、ＣＰＵ５１は、液晶ディスプレイ９に上記エラーメッセージを一定時間表示させることで、接続異常状態である（接続異常状態が解消されていない）旨の報知を行う。その後、上記ステップＳ８０に移り、ＣＰＵ５１は、上記と同様の処理を実行する。なお、このステップＳ１８０を実行するＣＰＵ５１、及び、ステップＳ１８０から移行した場合の上記ステップＳ８０を実行する定電圧回路４７が、各請求項記載のエラー処理手段として機能する。
【０１１６】
一方、上記ステップＳ１７５において、電圧Ｖ９８の値が２．２［Ｖ］未満である場合には、ステップＳ１７５の判定が満たされ（電圧Ｖ９８の下降挙動が検出され）、接続異常状態ではない（接続異常状態が解消されている）とみなされ、上記ステップＳ１３０に移り、ＣＰＵ５１は、上記と同様の処理を実行する。
【０１１７】
＜第１実施形態による効果＞
以上説明したように、本実施形態においては、ＡＣアダプタ３４の交換後に制御基板部３７がアクティブ状態とされた後に、電圧Ｖ９８の所定の下降挙動の検出を行う。電圧Ｖ９８の所定の下降挙動が検出されなかった場合には、接続異常状態である（接続異常状態が解消されていない）とみなされ、エラー処理を行う。一方、電圧Ｖ９８がすぐには正常範囲内まで低下していないが電圧Ｖ９８の所定の下降挙動が検出された場合には、接続異常状態ではない（接続異常状態が解消されている）とみなされ、エラー処理が行われないようにする。
【０１１８】
これにより、テープ印字装置１から高電圧アダプタ３４ｂが取り外され、その後テープ印字装置１に適正アダプタ３４ａが装着され、高電圧アダプタ３４ｂが取り外されてからあまり時間が経過していないときに制御基板部３７がアクティブ状態とされる場合でも、テープ印字装置１に適正アダプタ３４ａが装着されているにも拘らずエラー処理が行われるという不具合を回避することができる。
【０１１９】
また、本実施形態では特に、接続異常状態が検出された場合に、液晶ディスプレイ９にエラーメッセージを表示する。これにより、操作者に対し接続異常状態にあることを報知し、動作不都合が生じている原因が何であるかを確実に認識させることができる。
【０１２０】
また、本実施形態では特に、接続異常状態が検出された場合に、エラーフラグを立てる。そして、制御基板部３７がアクティブ状態とされた後に、エラーフラグが立っているか否かを判定し、エラーフラグが落ちている場合には、接続異常状態の検出を行い、エラーフラグが立っている場合には、電圧Ｖ９８の所定の下降挙動の検出を行う。これにより、テープ印字装置１に前回誤って高電圧アダプタ３４ｂが装着されていた場合には、接続異常状態の検出ではなく、電圧Ｖ９８の所定の下降挙動の検出を実行させることができる。この結果、上記不具合を確実に回避することができる。
【０１２１】
また、本実施形態では特に、電圧Ｖ９８が所定の電圧しきい値（上記の例では２．２［Ｖ］）以上であるか否かの判定を行うことで、接続異常状態の検出を行う。これにより、電圧Ｖ９８と電圧しきい値との大小を比較するという単純な処理により、接続異常状態であるか否かを確実に見分けることができる。
【０１２２】
また、本実施形態では特に、制御基板部３７がアクティブ状態とされてから所定時間経過後の電圧Ｖ９８が電圧しきい値（上記の例では２．２［Ｖ］）未満であるか否かの判定を行う。そして、所定時間経過後の電圧Ｖ９８が電圧しきい値以上である場合には、エラー処理を行い、電圧Ｖ９８がすぐには正常範囲内まで低下していないが所定時間経過後の電圧Ｖ９８が電圧しきい値未満である場合には、エラー処理が行われないようにする。これにより、所定時間経過後の電圧Ｖ９８と電圧しきい値との大小を比較するという単純な処理により、上記不具合を確実に回避することができる。
【０１２３】
なお、第１実施形態は、上記内容に限られるものではなく、その趣旨及び技術的思想を逸脱しない範囲内で種々の変形が可能である。以下、そのような変形例について説明する。
【０１２４】
（１）電圧Ｖ９８が漸減しているか否かの判定を行う場合
上記第１実施形態では、制御基板部３７がアクティブ状態とされてから所定時間経過後の電圧Ｖ９８が２．２［Ｖ］未満であるか否かの判定を行うことで、電圧Ｖ９８の下降挙動の検出を行う場合について説明したが、これに限られない。例えば、制御基板部３７がアクティブ状態とされた後の電圧Ｖ９８が漸減しているか否かの判定を行うことで、電圧Ｖ９８の下降挙動の検出を行ってもよい。
【０１２５】
以下、図１１を参照しつつ、テープ印字装置１から高電圧アダプタ３４ｂが取り外され、その後テープ印字装置１に適正アダプタ３４ａが装着され、高電圧アダプタ３４ｂが取り外されてからあまり時間が経過していないときに制御基板部３７がアクティブ状態とされる場合における電圧Ｖｂｐの変化挙動の例、及び、そのときの本変形例における処理内容の例について説明する。なお、図１１のチャートは、前述の図８及び図９に対応する図である。
【０１２６】
図１１に示す例では、前述の図９と同様、時刻ｔ１０で、操作者がテープ印字装置１に定格電圧が１５［Ｖ］の高電圧アダプタ３４ｂを装着すると、電圧Ｖｂｐの値が１５［Ｖ］となる。
【０１２７】
その後、前述の図９と同様、時刻ｔ２０で、操作者が電源キーをオン操作すると、スリープ状態の制御基板部３７がアクティブ状態とされる。なお、このときの電圧Ｖｂｐの値は１５［Ｖ］のままである。
【０１２８】
そして、前述の図９と同様、エラーフラグが立っているか否かの判定が行われ、エラーフラグが落ちていると判定されたため、時刻ｔ３０で、電圧Ｖ９８の値が２．２［Ｖ］以上であるか否かの判定が行われることで、接続異常状態の検出が行われる。このときの電圧Ｖｂｐの値は１５［Ｖ］のままであるので、このときの電圧Ｖ９８の値は１５［Ｖ］を１／５にした３［Ｖ］である。したがって、上記判定において電圧Ｖ９８の値が２．２［Ｖ］以上であると判定され、接続異常状態が検出される。
【０１２９】
これにより、前述の図９と同様、時刻ｔ３５で、エラーフラグが立てられ、液晶ディスプレイ９にエラーメッセージが一定時間表示された後、時刻ｔ４０で、アクティブ状態の制御基板部３７がスリープ状態とされる。なお、このときの電圧Ｖｂｐの値は１５［Ｖ］のままである。
【０１３０】
その後、前述の図９と同様、時刻ｔ５０で、操作者がテープ印字装置１から上記高電圧アダプタ３４ｂを取り外すと、電圧Ｖｂｐの値が１５［Ｖ］から漸減する。
【０１３１】
そして、前述の図９と同様、時刻ｔ６０で、操作者がテープ印字装置１に定格電圧が９［Ｖ］の適正アダプタ３４ａを装着する。
【０１３２】
その後、前述の図９と同様、上記時刻ｔ５０からあまり時間が経過していない時刻ｔ７０で、操作者が電源キーをオン操作すると、スリープ状態の制御基板部３７がアクティブ状態とされる。
【０１３３】
そして、前述の図９と同様、前述の時刻ｔ１００よりも前の時刻ｔ８０で、電圧Ｖ９８の値が２．２［Ｖ］以上であるか否かの判定が行われる。このときの電圧Ｖｂｐの値は１４［Ｖ］までしか低下していないので、このときの電圧Ｖ９８の値は１４［Ｖ］を１／５にした２．８［Ｖ］である。したがって、上記判定において電圧Ｖ９８の値が２．２［Ｖ］以上であると判定されるが、この時点では接続異常状態とはみなされず、このときの電圧Ｖ９８の値（この例では２．８［Ｖ］）が適宜のメモリに記憶される。
【０１３４】
その後、前述の時刻ｔ１００よりも前の時刻ｔ８５で、このときの電圧Ｖ９８の値が上記時刻ｔ８０のときの電圧Ｖ９８の値（この例では２．８［Ｖ］）未満か否かの判定が行われることで、上記時刻ｔ７０で制御基板部３７がアクティブ状態とされた後の電圧Ｖ９８が漸減しているか否かの判定が行われる。このときの電圧Ｖｂｐの値は１４［Ｖ］よりも低いので、このときの電圧Ｖ９８の値は２．８［Ｖ］よりも低い。したがって、上記判定において、このときの電圧Ｖ９８の値が２．８［Ｖ］未満であると判定されることで、上記時刻ｔ７０で制御基板部３７がアクティブ状態とされた後の電圧Ｖ９８が漸減していると判定され（電圧Ｖ９８の下降挙動が検出され）、接続異常状態ではない（接続異常状態が解消されている）とみなされ、エラーフラグが落とされ、アクティブ状態の制御基板部３７が維持される。
【０１３５】
次に、図１２を参照しつつ、本変形例におけるテープ印字装置１の定電圧回路４７及びＣＰＵ５１により実行される処理内容について説明する。なお、図１２は、前述の図１０に対応する図である。
【０１３６】
図１２において、ステップＳ１０，Ｓ２０，Ｓ３０，Ｓ４０，Ｓ５０，Ｓ５５，Ｓ６０，Ｓ７０，Ｓ８０，Ｓ９０，Ｓ１００，Ｓ１１０，Ｓ１２０，Ｓ１３０，Ｓ１８０は、前述の図１０と同様であり、前述のステップＳ１２０において、前述のステップＳ１１０で取得された電圧Ｖ９８の値が２．２［Ｖ］以上である場合には、ステップＳ１２０の判定が満たされるが、この時点では接続異常状態とはみなされず、ステップＳ１４０に移る。
【０１３７】
ステップＳ１４０では、ＣＰＵ５１は、前述のステップＳ１１０で取得された電圧Ｖ９８の値（以下適宜「電圧Ｖ９８の値（１）」という）を適宜のメモリに記憶する。
【０１３８】
その後、ステップＳ１５０で、ＣＰＵ５１は、前述のステップＳ１２０で判定を行ってから一定時間が経過するまで待機し、一定時間が経過したら、ステップＳ１６０に移る。
【０１３９】
ステップＳ１６０では、ＣＰＵ５１は、Ａ／Ｄ入力部４８からこのとき（上記一定時間経過後）の電圧Ｖ９８の値（以下適宜「電圧Ｖ９８の値（２）」という）を取得する。
【０１４０】
そして、ステップＳ１７０で、ＣＰＵ５１は、上記ステップＳ１６０で取得された電圧Ｖ９８の値（２）が上記ステップＳ１４０で記憶された電圧Ｖ９８の値（１）未満であるか否かを判定することで、上記ステップＳ１０の実行により制御基板部３７がアクティブ状態とされた後の電圧Ｖ９８が漸減しているか否かを判定する。これにより、ＣＰＵ５１は、電圧Ｖ９８の所定の下降挙動を検出する。なお、本変形例では、このステップＳ１７０を実行するＣＰＵ５１が、各請求項記載の挙動検出手段として機能する。電圧Ｖ９８の値（２）が電圧Ｖ９８の値（１）以上である場合、つまり制御基板部３７がアクティブ状態とされた後の電圧Ｖ９８が漸減していない場合には、ステップＳ１７０の判定は満たされず（電圧Ｖ９８の下降挙動は検出されず）、接続異常状態である（接続異常状態が解消されていない）とみなされ、前述のステップＳ１８０に移る。一方、電圧Ｖ９８の値（２）が電圧Ｖ９８の値（１）未満である場合、つまり制御基板部３７がアクティブ状態とされた後の電圧Ｖ９８が漸減している場合には、ステップＳ１７０の判定が満たされ（電圧Ｖ９８の下降挙動が検出され）、接続異常状態ではない（接続異常状態が解消されている）とみなされ、前述のステップＳ１３０に移る。
【０１４１】
以上説明した本変形例においても、上記第１実施形態と同様の効果を得ることができる。また、本変形例では、制御基板部３７がアクティブ状態とされた後の電圧Ｖ９８が漸減しているか否かの判定を行う。そして、制御基板部３７がアクティブ状態とされた後の電圧Ｖ９８が漸減していない場合には、エラー処理を行い、電圧Ｖ９８がすぐには正常範囲内まで低下していないが制御基板部３７がアクティブ状態とされた後の電圧Ｖ９８が漸減している場合には、エラー処理が行われないようにする。これにより、電圧Ｖ９８が漸減していることを検出するという単純な処理により、上記不具合を確実に回避することができる。
【０１４２】
（２）電圧Ｖ９８が低下しているか否かの判定を行う場合
例えば、制御基板部３７がアクティブ状態とされた後の電圧Ｖ９８の値が、制御基板部３７がスリープ状態とされる前の電圧Ｖ９８の値よりも低いか否かの判定を行うことで、電圧Ｖ９８の下降挙動の検出を行ってもよい。
【０１４３】
以下、図１３を参照しつつ、テープ印字装置１から高電圧アダプタ３４ｂが取り外され、その後テープ印字装置１に適正アダプタ３４ａが装着され、高電圧アダプタ３４ｂが取り外されてからあまり時間が経過していないときに制御基板部３７がアクティブ状態とされる場合における電圧Ｖｂｐの変化挙動の例、及び、そのときの本変形例における処理内容の例について説明する。なお、図１３のチャートは、前述の図８、図９、及び図１１に対応する図である。
【０１４４】
図１３に示す例では、前述の図９と同様、時刻ｔ１０で、操作者がテープ印字装置１に定格電圧が１５［Ｖ］の高電圧アダプタ３４ｂを装着すると、電圧Ｖｂｐの値が１５［Ｖ］となる。
【０１４５】
その後、前述の図９と同様、時刻ｔ２０で、操作者が電源キーをオン操作すると、スリープ状態の制御基板部３７がアクティブ状態とされる。なお、このときの電圧Ｖｂｐの値は１５［Ｖ］のままである。
【０１４６】
そして、前述の図９と同様、エラーフラグが立っているか否かの判定が行われ、エラーフラグが落ちていると判定されたため、時刻ｔ３０で、電圧Ｖ９８の値が２．２［Ｖ］以上であるか否かの判定が行われることで、接続異常状態の検出が行われる。このときの電圧Ｖｂｐの値は１５［Ｖ］のままであるので、このときの電圧Ｖ９８の値は１５［Ｖ］を１／５にした３［Ｖ］である。したがって、上記判定において電圧Ｖ９８の値が２．２［Ｖ］以上であると判定され、接続異常状態が検出される。
【０１４７】
これにより、時刻ｔ３５で、エラーフラグが立てられ、上記時刻ｔ３０のときの電圧Ｖ９８の値（この例では３［Ｖ］）が適宜のメモリに記憶され、液晶ディスプレイ９にエラーメッセージが一定時間表示された後、前述の図９と同様、時刻ｔ４０で、アクティブ状態の制御基板部３７がスリープ状態とされる。なお、このときの電圧Ｖｂｐの値は１５［Ｖ］のままである。
【０１４８】
その後、前述の図９と同様、時刻ｔ５０で、操作者がテープ印字装置１から上記高電圧アダプタ３４ｂを取り外すと、電圧Ｖｂｐの値が１５［Ｖ］から漸減する。
【０１４９】
そして、前述の図９と同様、時刻ｔ６０で、操作者がテープ印字装置１に定格電圧が９［Ｖ］の適正アダプタ３４ａを装着する。
【０１５０】
その後、前述の図９と同様、上記時刻ｔ５０からあまり時間が経過していない時刻ｔ７０で、操作者が電源キーをオン操作すると、スリープ状態の制御基板部３７がアクティブ状態とされる。
【０１５１】
そして、前述の時刻ｔ１００よりも前の時刻ｔ８０で、このときの電圧Ｖ９８の値が上記時刻ｔ３０のときの電圧Ｖ９８の値（この例では３［Ｖ］）未満であるか否かの判定が行われる。このときの電圧Ｖｂｐの値は１５［Ｖ］よりも低いので、このときの電圧Ｖ９８の値は３［Ｖ］よりも低い。したがって、上記判定において、このときの電圧Ｖ９８の値が３［Ｖ］未満であると判定され（電圧Ｖ９８の下降挙動が検出され）、接続異常状態ではない（接続異常状態が解消されている）とみなされ、エラーフラグが落とされ、アクティブ状態の制御基板部３７が維持される。
【０１５２】
次に、図１４を参照しつつ、本変形例のテープ印字装置１の定電圧回路４７及びＣＰＵ５１により実行される処理内容について説明する。なお、図１４は、前述の図１０及び図１２に対応する図である。
【０１５３】
図１４において、ステップＳ１０，Ｓ２０，Ｓ３０，Ｓ４０，Ｓ５０，Ｓ５５，Ｓ６０，Ｓ７０，Ｓ８０，Ｓ９０，Ｓ１００，Ｓ１３０，Ｓ１８０は、前述の図１０と同様であり、前述のステップＳ１００で、ＣＰＵ５１が前述のエラーフラグを立てたら、ステップＳ１０５に移る。
【０１５４】
ステップＳ１０５では、ＣＰＵ５１は、前述のステップＳ３０で取得された（この後に実行される前述のステップＳ８０の実行により制御基板部３７がスリープ状態とされる前の）電圧Ｖ９８の値（以下適宜「電圧Ｖ９８の値（Ａ）」という）を適宜のメモリに記憶する。その後、前述のステップＳ８０に移る。
【０１５５】
また、前述のステップＳ２０において、エラーフラグが立っている場合には、ステップＳ２０の判定が満たされ、接続異常状態が検出された後の実行であるとみなされ、ステップＳ１１５に移る。
【０１５６】
ステップＳ１１５では、ＣＰＵ５１は、Ａ／Ｄ入力部４８からこのとき（前述のステップＳ８０の実行により制御基板部３７がスリープ状態とされ、その後前述のステップＳ１０の実行により制御基板部３７がアクティブ状態とされた後）の電圧Ｖ９８の値（以下適宜「電圧Ｖ９８の値（Ｂ）」という）を取得する。
【０１５７】
その後、ステップＳ１２５で、ＣＰＵ５１は、上記ステップＳ１１５で取得された電圧Ｖ９８の値（Ｂ）が上記ステップＳ１０５で記憶された電圧Ｖ９８の値（Ａ）未満であるか否かを判定することで、電圧Ｖ９８の所定の下降挙動を検出する。なお、本変形例では、このステップＳ１２５を実行するＣＰＵ５１が、各請求項記載の挙動検出手段として機能する。電圧Ｖ９８の値（Ｂ）が電圧Ｖ９８の値（Ａ）以上である（電圧Ｖ９８の値（Ａ）よりも低下していない）場合には、ステップＳ１２５の判定は満たされず（電圧Ｖ９８の下降挙動は検出されず）、接続異常状態である（接続異常状態が解消されていない）とみなされ、前述のステップＳ１８０に移る。一方、電圧Ｖ９８の値（Ｂ）が電圧Ｖ９８の値（Ａ）未満である（電圧Ｖ９８の値（Ａ）よりも低い）場合には、ステップＳ１２５の判定が満たされ（電圧Ｖ９８の下降挙動が検出され）、接続異常状態ではない（接続異常状態が解消されている）とみなされ、前述のステップＳ１３０に移る。
【０１５８】
以上説明した本変形例においても、上記第１実施形態と同様の効果を得ることができる。また、本変形例では、制御基板部３７がアクティブ状態とされた後の電圧Ｖ９８の値が、制御基板部３７がスリープ状態とされる前の電圧Ｖ９８の値よりも低いか否かの判定を行う。そして、制御基板部３７がアクティブ状態とされた後の電圧Ｖ９８の値が、制御基板部３７がスリープ状態とされる前の電圧Ｖ９８の値よりも低くない場合には、エラー処理を行い、電圧Ｖ９８がすぐには正常範囲内まで低下していないが、制御基板部３７がアクティブ状態とされた後の電圧Ｖ９８の値が、制御基板部３７がスリープ状態とされる前の電圧Ｖ９８の値よりも低い場合には、エラー処理が行われないようにする。これにより、制御基板部３７がアクティブ状態とされた後の電圧Ｖ９８の値と、制御基板部３７がスリープ状態とされる前の電圧Ｖ９８の値との大小を比較するという単純な処理により、上記不具合を確実に回避することができる。
【０１５９】
＜第２実施形態＞
次に、本発明の第２実施形態について説明する。なお、以下では、主に上記第１実施形態と異なる点等について説明する。
【０１６０】
本実施形態のテープ印字装置１及びＡＣアダプタ３４の基本構成は、上記第１実施形態のテープ印字装置１及びＡＣアダプタ３４の基本構成（前述の図１〜図５参照）と同様であるので、説明を省略する。
【０１６１】
＜本実施形態における処理＞
本実施形態では、前述のように、テープ印字装置１から高電圧アダプタ３４ｂが取り外された後、テープ印字装置１に適正アダプタ３４ａが装着されても、電圧Ｖｂｐの値がすぐには１１［Ｖ］未満（正常範囲内）まで低下しないことに対応して、前述のようにして接続異常状態が検出された場合に、液晶ディスプレイ９に前述のエラーメッセージが表示されつつ、テープ印字装置１から高電圧アダプタ３４ｂが取り外されたことの検出が行われる。なお、液晶ディスプレイ９におけるエラーメッセージは、例えば高電圧アダプタ３４ｂが取り外されるまで表示される。
【０１６２】
前述のように、テープ印字装置１から高電圧アダプタ３４ｂが取り外されると、アクティブ状態の制御基板部３７の各要素による電力消費により前述の電圧Ｖｂｐは漸減するので、この例では当該電圧Ｖｂｐの値を１／５にした前述の電圧Ｖ９８が漸減しているか否かの判定が行われることで、高電圧アダプタ３４ｂが取り外されたことの検出が行われる。すなわち、上記エラーメッセージに対応して、操作者がテープ印字装置１から高電圧アダプタ３４ｂを取り外すと、上記判定において、電圧Ｖ９８が漸減していると判定され、高電圧アダプタ３４ｂが取り外されたことが検出される。
【０１６３】
そして、上記のようにして高電圧アダプタ３４ｂが取り外されたことが検出された後に、前述の電解コンデンサＣ１０１に蓄積された電荷を放出させ電圧Ｖｂｐの値を１１［Ｖ］未満（正常範囲内）まで低下させるため、電圧Ｖ９８の値が前述の電圧しきい値である２．２［Ｖ］未満となるまで放電処理が実行される。放電処理は、前述の複数の負荷３９に備えられた前述の複数の負荷回路の少なくとも１つの負荷回路の少なくとも一部に、前述の印字ラベルを作成する印刷処理において供給される駆動電圧（第１駆動電圧に相当。以下適宜「第１駆動電圧」という）よりも低い駆動電圧（第２駆動電圧に相当。以下適宜「第２駆動電圧」という）が供給されるように制御する処理である。この例では、放電処理として、前述のサーマルヘッド２２に備えられた前述の複数の発熱素子の少なくとも一部に、例えば印字形成されない程度の第２駆動電圧が供給されるように制御する放電処理が実行される。放電処理を実行して電解コンデンサＣ１０１に蓄積された電荷を放出させることにより、迅速に電圧Ｖｂｐの値を１１［Ｖ］未満（正常範囲内）まで低下させることができる。また、上記放電処理が実行される間は、液晶ディスプレイ９に、所定のメッセージ（例えば「放電中・・・」。以下適宜「放電中メッセージ」という）が表示される。
【０１６４】
そして、上記放電処理により電圧Ｖ９８の値が２．２［Ｖ］未満となった後に、前述のスリープ処理が実行され、アクティブ状態の制御基板部３７がスリープ状態とされる。
【０１６５】
したがって、その後テープ印字装置１に適正アダプタ３４ａが装着され、制御基板部３７がアクティブ状態とされた場合には、そのときには既に電圧Ｖ９８の値が２．２［Ｖ］未満となっているので、高電圧アダプタ３４ｂが取り外されてからあまり時間が経過していないときに制御基板部３７がアクティブ状態とされた後に、再度、電圧Ｖ９８の値が２．２［Ｖ］以上であるか否かの判定が行われることで、接続異常状態の検出が行われても、接続異常状態は検出されないため、前述のエラー処理は行われず、アクティブ状態の制御基板部３７が維持される。
【０１６６】
以下、図１５を参照しつつ、テープ印字装置１から高電圧アダプタ３４ｂが取り外され、その後テープ印字装置１に適正アダプタ３４ａが装着され、高電圧アダプタ３４ｂが取り外されてからあまり時間が経過していないときに制御基板部３７がアクティブ状態とされる場合における電圧Ｖｂｐの変化挙動の例、及び、そのときの本実施形態における処理内容の例について説明する。なお、図１５のチャートは、前述の図８等に対応する図である。
【０１６７】
図１５に示す例では、前述の図８と同様、時刻ｔ１０で、操作者がテープ印字装置１に定格電圧が１５［Ｖ］の高電圧アダプタ３４ｂを装着すると、電圧Ｖｂｐの値が１５［Ｖ］となる。
【０１６８】
その後、前述の図８と同様、時刻ｔ２０で、操作者が電源キーをオン操作すると、スリープ状態の制御基板部３７がアクティブ状態とされる。なお、このときの電圧Ｖｂｐの値は１５［Ｖ］のままである。
【０１６９】
そして、前述の図８と同様、時刻ｔ３０で、電圧Ｖ９８の値が２．２［Ｖ］以上であるか否かの判定が行われることで、接続異常状態の検出が行われる。このときの電圧Ｖｂｐの値は１５［Ｖ］のままであるので、このときの電圧Ｖ９８の値は１５［Ｖ］を１／５にした３［Ｖ］である。したがって、上記判定において電圧Ｖ９８の値が２．２［Ｖ］以上であると判定され、接続異常状態が検出される。
【０１７０】
これにより、液晶ディスプレイ９にエラーメッセージが表示されつつ、電圧Ｖ９８が漸減しているか否かの判定が開始されることで、テープ印字装置１から高電圧アダプタ３４ｂが取り外されたことの検出が開始される。その後、前述の図８と同様、時刻ｔ５０で、操作者がテープ印字装置１から上記高電圧アダプタ３４ｂを取り外すと、アクティブ状態の制御基板部３７の各要素による電力消費により、電解コンデンサＣ１０１から電荷が放出され、電圧Ｖｂｐの値が１５［Ｖ］から漸減する。但し、この状態における電解コンデンサＣ１０１からの電荷放出量はあまり大きくなく、電圧Ｖｂｐの低下率はあまり大きくない。
【０１７１】
これにより、時刻ｔ５２で、電圧Ｖ９８が漸減していると判定され、テープ印字装置１から高電圧アダプタ３４ｂが取り外されたことが検出された後、放電処理が開始されると、電力消費量が大きくなるため、電解コンデンサＣ１０１からの電荷放出量が大きくなり、電圧Ｖｂｐの低下率が大きくなって、時刻ｔ５４で、電圧Ｖｂｐの値が１１［Ｖ］未満（正常範囲内）まで低下する。
【０１７２】
これにより、時刻ｔ５６で、放電処理が終了された後、アクティブ状態の制御基板部３７がスリープ状態とされる。
【０１７３】
そして、前述の図８と同様、時刻ｔ６０で、操作者がテープ印字装置１に定格電圧が９［Ｖ］の適正アダプタ３４ａを装着する。なお、このときの電圧Ｖｂｐの値は既に１１［Ｖ］未満（正常範囲内）となっている。
【０１７４】
その後、前述の図８と同様、上記時刻ｔ５０からあまり時間が経過していない時刻ｔ７０で、操作者が電源キーをオン操作すると、スリープ状態の制御基板部３７がアクティブ状態とされる。
【０１７５】
そして、前述の図８と同様、時刻ｔ８０で、電圧Ｖ９８の値が２．２［Ｖ］以上であるか否かの判定が行われることで、接続異常状態の検出が行われる。このときの電圧Ｖｂｐの値は既に１１［Ｖ］未満となっているので、このときの電圧Ｖ９８の値は２．２［Ｖ］未満である。したがって、上記判定において電圧Ｖ９８の値が２．２［Ｖ］未満であると判定され、接続異常状態は検出されず、アクティブ状態の制御基板部３７が維持される。
【０１７６】
＜制御フロー＞
次に、図１６を参照しつつ、上記手法を実現するために、本実施形態におけるテープ印字装置１の定電圧回路４７及びＣＰＵ５１により実行される処理内容について説明する。
【０１７７】
図１６において、このフローチャートに示す処理は、例えば操作者により前述の電源キーがオン操作されることを契機に開始される。
【０１７８】
まず、ステップＳ２１０で、定電圧回路４７は、前述のウェイクアップ処理を実行し、スリープ状態の制御基板部３７をアクティブ状態とする。なお、このステップＳ２１０を実行する定電圧回路４７が、各請求項記載の開始処理手段として機能する。
【０１７９】
その後、ステップＳ２２０で、ＣＰＵ５１は、Ａ／Ｄ入力部４８からこのときの電圧Ｖ９８の値を取得する。
【０１８０】
そして、ステップＳ２３０で、ＣＰＵ５１は、上記ステップＳ２２０で取得された電圧Ｖ９８の値が２．２［Ｖ］以上である否かを判定することで、上記接続異常状態の検出を行う。なお、このステップＳ２３０を実行するＣＰＵ５１が、各請求項記載の状態検出手段として機能する。電圧Ｖ９８の値が２．２［Ｖ］未満である場合には、ステップＳ２３０の判定は満たされず（接続異常状態は検出されず）、ステップＳ２４０に移る。
【０１８１】
ステップＳ２４０では、ＣＰＵ５１は、操作者による前述の文字キーを介した所望の印字データを入力する操作の受け付けを開始し、当該操作に対応した印字データの取得を図り、印字データを取得したら、ステップＳ２５０に移る。
【０１８２】
ステップＳ２５０では、ＣＰＵ５１は、操作者による前述の印刷キーのオン操作の受け付けを開始し、印刷キーがオン操作されたら、ステップＳ２６０に移る。
【０１８３】
ステップＳ２６０では、ＣＰＵ５１は、複数の負荷３９の少なくとも一部の負荷回路に上記第１駆動電圧が供給されるように供給スイッチ４０をオン・オフ制御することで、複数の負荷３９の少なくとも一部を連携して制御し、上記ステップＳ２４０で取得された印字データが被印字テープ１２に形成された印字ラベルを作成する印刷処理を実行する。なお、このステップＳ２６０を実行するＣＰＵ５１が、各請求項記載の印刷制御手段として機能する。
【０１８４】
その後、ステップＳ２７０で、ＣＰＵ５１は、操作者による前述の電源キーのオフ操作の受け付けを開始し、電源キーがオフ操作されたら、ステップＳ２８０に移る。
【０１８５】
ステップＳ２８０では、定電圧回路４７は、前述のスリープ処理を実行し、アクティブ状態の制御基板部３７をスリープ状態とする。なお、このステップＳ２８０を実行する定電圧回路４７が、各請求項記載の停止処理手段として機能する。これにより、このフローチャートに示す処理が終了される。なお、このフローチャートに示す処理は、操作者により前述の電源キーがオン操作されることを契機に再度開始される。
【０１８６】
一方、上記ステップＳ２３０において、電圧Ｖ９８の値が２．２［Ｖ］以上である場合には、ステップＳ２３０の判定が満たされ（接続異常状態が検出され）、ステップＳ２９０に移る。
【０１８７】
ステップＳ２９０では、ＣＰＵ５１は、液晶ディスプレイ９に上記エラーメッセージを表示させることで、接続異常状態が検出された旨の報知（第１報知に相当）を行う。なお、このステップＳ２９０を実行するＣＰＵ５１が、各請求項記載の第１報知手段として機能する。
【０１８８】
そして、ステップＳ３００で、ＣＰＵ５１は、Ａ／Ｄ入力部４８からこのときの電圧Ｖ９８の値を取得する。
【０１８９】
その後、ステップＳ３１０で、ＣＰＵ５１は、上記ステップＳ３００で取得された電圧Ｖ９８の値に基づき、電圧Ｖ９８が漸減しているか否かの判定を行うことで、テープ印字装置１から高電圧アダプタ３２ｂが取り外されたことの検出を行う。なお、このステップＳ３１０を実行するＣＰＵ５１が、各請求項記載の解除検出手段として機能する。電圧Ｖ９８が漸減しない間は、ステップＳ３１０の判定はみたされず（高電圧アダプタ３２Ｂが取り外されたことは検出されず）、上記ステップＳ３００に戻り、同様の手順を繰り返す。そして、電圧Ｖ９８が漸減したら、ステップＳ３１０の判定が満たされ（高電圧アダプタ３２Ｂが取り外されたことが検出され）、ステップＳ３２０に移る。
【０１９０】
ステップＳ３２０では、ＣＰＵ５１は、上記複数の発熱素子の少なくとも一部に例えば印字形成されない程度の上記第２駆動電圧が供給されるように制御する上記放電処理を開始し、電解コンデンサＣ１０１に蓄積された電荷を迅速に放出させる。
【０１９１】
そして、ステップＳ３３０で、ＣＰＵ５１は、上記ステップＳ３２０で開始された放電処理が実行される間、液晶ディスプレイ９に上記放電中メッセージを表示させることで、放電処理の実行中である旨の報知（第２報知に相当）を行う。なお、このステップＳ３３０を実行するＣＰＵ５１が、各請求項記載の第２報知手段として機能する。
【０１９２】
その後、ステップＳ３４０で、ＣＰＵ５１は、Ａ／Ｄ入力部４８からこのときの電圧Ｖ９８の値を取得する。
【０１９３】
そして、ステップＳ３５０で、ＣＰＵ５１は、上記ステップＳ３４０で取得された電圧Ｖ９８の値が２．２［Ｖ］未満である否かを判定する。電圧Ｖ９８の値が２．２［Ｖ］以上である間は、ステップＳ３５０の判定は満たされず、上記ステップＳ３４０に戻り、同様の手順を繰り返す。そして、電圧Ｖ９８の値が２．２［Ｖ］未満となったら、ステップＳ３５０の判定がみたされ、ステップＳ３６０に移る。
【０１９４】
ステップＳ３６０では、ＣＰＵ５１は、上記ステップＳ３２０で開始された放電処理を終了する。その後、上記ステップＳ２８０に移り、ＣＰＵ５１は、上記と同様の処理を実行する。なお、上記ステップＳ３２０、及び、このステップＳ３６０を実行するＣＰＵ５１が、各請求項記載の放電制御手段として機能する。
【０１９５】
＜第２実施形態による効果＞
以上説明したように、本実施形態においては、接続異常状態が検出された場合に、液晶ディスプレイ９にエラーメッセージを表示しつつ、テープ印字装置１から高電圧アダプタ３４ｂが取り外されたことの検出を行う。上記エラーメッセージに対応して、操作者がテープ印字装置１から高電圧アダプタ３４ｂを取り外すと、高電圧アダプタ３４ｂが取り外されたことが検出される。すると、放電処理を実行して、少なくとも１つの負荷回路の少なくとも一部に比較的低い第２駆動電圧を供給させることにより、電解コンデンサＣ１０１に蓄積された電荷を放出させ、電圧Ｖｂｐを正常範囲内まで低下させる。上記放電処理を実行して電解コンデンサＣ１０１に蓄積された電荷を放出させることにより、迅速に電圧Ｖｂｐを正常範囲内まで低下させることができる。そして、電圧Ｖｂｐが正常範囲内まで低下した後に、スリープ処理を実行して、制御基板部３７がスリープ状態とされる。
【０１９６】
これにより、テープ印字装置１から高電圧アダプタ３４ｂが取り外され、その後テープ印字装置１に適正アダプタ３４ａが装着され、高電圧アダプタ３４ｂが取り外されてからあまり時間が経過していないときに制御基板部３７がアクティブ状態とされる場合でも、制御基板部３７がアクティブ状態とされるよりも前に、電圧Ｖｂｐを正常範囲内まで低下させておくことができるので、テープ印字装置１に適正アダプタ３４ａが装着されているにも拘らずエラー処理が行われるという不具合を回避することができる。
【０１９７】
また、本実施形態では特に、放電処理が実行される間、液晶ディスプレイ９に放電中メッセージを表示する。これにより、操作者に対し放電処理中であることを報知し、放電処理中であることを確実に認識させることができる。
【０１９８】
また、本実施形態では特に、サーマルヘッド２２の複数の発熱素子の少なくとも一部に第２駆動電圧が供給されるように制御する放電処理を実行する。これにより、サーマルヘッド２２が例えば印字形成しない程度の駆動電圧に基づき駆動して電力消費することにより、電圧Ｖ９８を確実に正常範囲内まで低下させることができる。
【０１９９】
また、本実施形態では特に、電圧Ｖ９８が所定の電圧しきい値（上記の例では２．２［Ｖ］）以上であるか否かの判定を行うことで、接続異常状態の検出を行う。これにより、電圧Ｖ９８と電圧しきい値との大小を比較するという単純な処理により、接続異常状態であるか否かを確実に見分けることができる。
【０２００】
なお、第２実施形態は、上記内容に限られるものではなく、その趣旨及び技術的思想を逸脱しない範囲内で種々の変形が可能である。
【０２０１】
すなわち、上記第２実施形態では、ＣＰＵ５１は、放電処理として、サーマルヘッド２２に備えられた複数の発熱素子の少なくとも一部に、例えば印字形成されない程度の第２駆動電圧が供給されるように制御する放電処理を実行したが、これに限られない。例えば、ＣＰＵ５１は、放電処理として、前述の駆動モータに備えられた前述のコイルに、例えば駆動モータが回転しない程度の第２駆動電圧が供給されるように制御する放電処理を実行してもよい。この場合には、駆動モータが例えば回転しない程度の駆動電圧に基づき駆動して電力消費することにより、電圧Ｖ９８を確実に正常範囲内まで低下させることができる。
【０２０２】
＜第３実施形態＞
次に、本発明の第３実施形態について説明する。なお、以下では、主に上記第１実施形態と異なる点等について説明する。
【０２０３】
本実施形態のテープ印字装置１及びＡＣアダプタ３４の基本構成は、上記第１実施形態のテープ印字装置１及びＡＣアダプタ３４の基本構成（前述の図１〜図５参照）とほぼ同様である。但し、本実施形態のテープ印字装置１の電気的構成は、上記第１実施形態のテープ印字装置１の電気的構成（前述の図４及び図５参照）と少し異なる。
【０２０４】
＜ＡＣアダプタ及びテープ印字装置の電気的構成＞
以下、図１７及び図１８を参照しつつ、本実施形態のＡＣアダプタ３４及びテープ印字装置１の電気的構成について説明する。なお、図１７は、前述の図４に対応する図であり、図１８は、前述の図５に対応する図である。
【０２０５】
図１７及び図１８に示すように、本実施形態のＡＣアダプタ３４の電気的構成は、上記第１実施形態のＡＣアダプタ３４の電気的構成と同様であるので、説明を省略する。
【０２０６】
また、本実施形態のテープ印字装置１は、上記第１実施形態のテープ印字装置１の電気的構成に加え、電解コンデンサＣ１０２を有する。
【０２０７】
電解コンデンサＣ１０２は、この例では有極性の電解コンデンサであり、前述の電解コンデンサＣ１０１に蓄積された電荷を吸収するために電解コンデンサＣ１０１と並列に接続されると共に、前述の電池収納部２７と並列に（電池収納部２７の正極側と負極側との間に）接続されている。なお、本実施形態では、電解コンデンサＣ１０１が、各請求項記載の第１蓄電装置及び第１コンデンサに相当し、電解コンデンサＣ１０２が、各請求項記載の第２蓄電装置及び第２コンデンサに相当する。この例では、電解コンデンサＣ１０２の静電容量は、電解コンデンサＣ１０１の静電容量よりも大きくなっている。例えば、電解コンデンサＣ１０１の静電容量は１０００［μＦ］、電解コンデンサＣ１０２の静電容量は３３００［μＦ］となっている。
【０２０８】
また、本実施形態では、前述のブレーク接点３３Ｃは、電池収納部２７の正極側及び電解コンデンサＣ１０２と接続されている。
【０２０９】
すなわち、テープ印字装置１にＡＣアダプタ３４が装着されないとき（図１７の状態のとき）には、前述の切替機構３３Ｄは、前述の閉成状態（第２状態に相当）となり、電池収納部２７の正極側及び電解コンデンサＣ１０２と前述の定電圧回路４７及び電解コンデンサＣ１０１とが導通される。この結果、電池収納部２７に電池３８が収納されている場合には、電池３８の前述の電池電圧Ｖｂが、前述のブレーク接点３３Ｃ、第１端子３３Ａ、及び正極側母線ＢＰを介して、定電圧回路４７及び電解コンデンサＣ１０１に供給される。
【０２１０】
そして、テープ印字装置１にＡＣアダプタ３４が装着されたとき（図１８の状態のとき）には、切替機構３３Ｄは、前述の開放状態（第１状態に相当）となり、ＡＣアダプタ３４と定電圧回路４７及び電解コンデンサＣ１０１とが導通され、かつ電池収納部２７の正極側及び電解コンデンサＣ１０２と定電圧回路４７及び電解コンデンサＣ１０１とが非導通となる。この結果、電池収納部２７に電池３８が収納されているか否かに拘らず、ＡＣアダプタ３４の前述のアダプタ電圧Ｖａｄが、前述のＤＣプラグ３４Ｅの第１端子３４Ａ、ＤＣジャック３３の第１端子３３Ａ、及び正極側母線ＢＰを介して、定電圧回路４７及び電解コンデンサＣ１０１に供給される。
【０２１１】
＜制御フロー＞
以下、図１９を参照しつつ、本実施形態におけるテープ印字装置１の定電圧回路４７及びＣＰＵ５１により実行される処理内容について説明する。
【０２１２】
図１９において、このフローチャートに示す処理は、例えば操作者により前述の電源キーがオン操作されることを契機に開始される。
【０２１３】
まず、ステップＳ４１０で、定電圧回路４７は、前述のウェイクアップ処理を実行し、スリープ状態の制御基板部３７をアクティブ状態とする。
【０２１４】
その後、ステップＳ４２０で、ＣＰＵ５１は、Ａ／Ｄ入力部４８からこのときの電圧Ｖ９８の値を取得する。
【０２１５】
そして、ステップＳ４３０で、ＣＰＵ５１は、上記ステップＳ４２０で取得された電圧Ｖ９８の値が前述の電圧しきい値である２．２［Ｖ］以上である否かを判定することで、前述の接続異常状態の検出を行う。電圧Ｖ９８の値が２．２［Ｖ］未満である場合には、ステップＳ４３０の判定は満たされず（接続異常状態は検出されず）、ステップＳ４４０に移る。
【０２１６】
ステップＳ４４０では、ＣＰＵ５１は、操作者による前述の文字キーを介した所望の印字データを入力する操作の受け付けを開始し、当該操作に対応した印字データの取得を図り、印字データを取得したら、ステップＳ４５０に移る。
【０２１７】
ステップＳ４５０では、ＣＰＵ５１は、操作者による前述の印刷キーのオン操作の受け付けを開始し、印刷キーがオン操作されたら、ステップＳ４６０に移る。
【０２１８】
ステップＳ４６０では、ＣＰＵ５１は、前述の複数の負荷３９の少なくとも一部の負荷回路に駆動電圧が供給されるように前述の供給スイッチ４０をオン・オフ制御することで、複数の負荷３９の少なくとも一部を連携して制御し、上記ステップＳ４４０で取得された印字データが前述の被印字テープ１２に形成された印字ラベルを作成する印刷処理を実行する。
【０２１９】
その後、ステップＳ４７０で、ＣＰＵ５１は、操作者による前述の電源キーのオフ操作の受け付けを開始し、電源キーがオフ操作されたら、ステップＳ４８０に移る。
【０２２０】
ステップＳ４８０では、定電圧回路４７は、前述のスリープ処理を実行し、アクティブ状態の制御基板部３７をスリープ状態とする。これにより、このフローチャートに示す処理が終了される。なお、このフローチャートに示す処理は、操作者により前述の電源キーがオン操作されることを契機に再度開始される。
【０２２１】
一方、上記ステップＳ４３０において、電圧Ｖ９８の値が２．２［Ｖ］以上である場合には、ステップＳ４３０の判定が満たされ（接続異常状態が検出され）、ステップＳ４９０に移る。
【０２２２】
ステップＳ４９０では、ＣＰＵ５１は、液晶ディスプレイ９に前述のエラーメッセージを表示させることで、接続異常状態が検出された旨の報知を行う。その後、上記ステップＳ４８０に移り、ＣＰＵ５１は、上記と同様の処理を実行する。
【０２２３】
＜高電圧アダプタの装着・取り外し＞
ここで、本実施形態では、前述の比較例で生じていた、テープ印字装置１から高電圧アダプタ３４ｂが取り外された後、テープ印字装置１に適正アダプタ３４ａが装着されても、電圧Ｖｂｐの値がすぐには１１［Ｖ］未満（正常範囲内）まで低下しない現象が、生じないようになっている。以下、その詳細について説明する。
【０２２４】
（Ａ）高電圧アダプタ装着
まず、図２０を参照しつつ、テープ印字装置１に定格電圧が１５［Ｖ］の高電圧アダプタ３４ｂが装着された場合について想定する。図２０に示すように、テープ印字装置１に定格電圧（アダプタ電圧Ｖａｄ）が１５［Ｖ］の高電圧アダプタ３４ｂが装着された場合には、切替機構３３Ｄが開放状態に切り替わり、高電圧アダプタ３４ｂと電解コンデンサＣ１０１とが導通され、かつ電解コンデンサＣ１０２と電解コンデンサＣ１０１とが非導通となる。この結果、高電圧アダプタ３４ｂからＤＣプラグ３４Ｅの第１端子３４Ａ及びＤＣジャック３３の第１端子３３Ａを介して正極側母線ＢＰに供給される、テープ印字装置１の定格電圧（この例では９［Ｖ］）よりも高いアダプタ電圧Ｖａｄ（この例では１５［Ｖ］）に対応する電荷は、電解コンデンサＣ１０１に蓄積されるが電解コンデンサＣ１０２には蓄積されない。なお、このときの電圧Ｖｂｐの値は、１５［Ｖ］となる。この結果、Ａ／Ｄ入力部４８により測定される電圧Ｖ９８の値は、１５［Ｖ］を１／５にした３［Ｖ］となる。
【０２２５】
（Ｂ）高電圧アダプタ取り外し
次に、図２１を参照しつつ、テープ印字装置１から上記高電圧アダプタ３４ｂが取り外された場合について想定する。図２１に示すように、テープ印字装置１から上記高電圧アダプタ３４ｂが取り外された場合には、切替機構３３Ｄが閉成状態に切り替わり、電解コンデンサＣ１０２と電解コンデンサＣ１０１とが導通され、電解コンデンサＣ１０２と電解コンデンサＣ１０１とが並列に接続された状態となる。この結果、電解コンデンサＣ１０１に蓄積された電荷が瞬時に電解コンデンサＣ１０２に移動し、電圧Ｖｂｐの値が迅速に１１Ｖ未満（正常範囲内）まで低下する。この例では、電圧Ｖｂｐの値は、３．５［Ｖ］まで低下している。この結果、Ａ／Ｄ入力部４８により測定される電圧Ｖ９８の値は、３．５［Ｖ］を１／５にした０．７［Ｖ］となる。
【０２２６】
したがって、その後テープ印字装置１に適正アダプタ３４ａが装着され、上記ステップＳ４１０で制御基板部３７がアクティブ状態とされた場合には、そのときには既に電圧Ｖ９８の値が２．２［Ｖ］未満となっているので、高電圧アダプタ３４ｂが取り外されてからあまり時間が経過していないときに制御基板部３７がアクティブ状態とされた後に、再度、上記ステップＳ４２０で電圧Ｖ９８の値が２．２［Ｖ］以上であるか否かの判定が行われることで、接続異常状態の検出が行われても、接続異常状態は検出されないため、エラー処理（上記ステップＳ４９０でのエラーメッセージの表示処理、及び、当該ステップＳ４９０から移行した上記ステップＳ４８０でのスリープ処理）は行われず、アクティブ状態の制御基板部３７が維持される。
【０２２７】
以下、図２２を参照しつつ、テープ印字装置１から高電圧アダプタ３４ｂが取り外され、その後テープ印字装置１に適正アダプタ３４ａが装着され、高電圧アダプタ３４ｂが取り外されてからあまり時間が経過していないときに制御基板部３７がアクティブ状態とされる場合における電圧Ｖｂｐの変化挙動の例、及び、そのときの本実施形態における処理内容の例について説明する。なお、図２２は、前述の図８等に対応する図である。
【０２２８】
図２２に示す例では、前述の図８と同様、時刻ｔ１０で、操作者がテープ印字装置１に定格電圧が１５［Ｖ］の高電圧アダプタ３４ｂを装着すると、切替機構３３Ｄが開放状態に切り替わり、高電圧アダプタ３４ｂと電解コンデンサＣ１０１とが導通され、かつ電解コンデンサＣ１０２と電解コンデンサＣ１０１とが非導通となる。この結果、電圧Ｖｂｐの値が１５［Ｖ］となり、電解コンデンサＣ１０１に当該電圧Ｖｂｐに対応する電荷が蓄積される。
【０２２９】
その後、前述の図８と同様、時刻ｔ２０で、操作者が電源キーをオン操作すると、スリープ状態の制御基板部３７がアクティブ状態とされる。なお、このときの電圧Ｖｂｐの値は１５［Ｖ］のままである。
【０２３０】
そして、前述の図８と同様、時刻ｔ３０で、電圧Ｖ９８の値が２．２［Ｖ］以上であるか否かの判定が行われることで、接続異常状態の検出が行われる。このときの電圧Ｖｂｐの値は１５［Ｖ］のままであるので、このときの電圧Ｖ９８の値は１５［Ｖ］を１／５にした３［Ｖ］である。したがって、上記判定において電圧Ｖ９８の値が２．２［Ｖ］以上であると判定され、接続異常状態が検出される。
【０２３１】
これにより、前述の図８と同様、液晶ディスプレイ９にエラーメッセージが一定時間表示された後、時刻ｔ４０で、アクティブ状態の制御基板部３７がスリープ状態とされる。なお、このときの電圧Ｖｂｐの値は１５［Ｖ］のままである。
【０２３２】
その後、前述の図８と同様、時刻ｔ５０で、操作者がテープ印字装置１から上記高電圧アダプタ３４ｂを取り外すと、切替機構３３Ｄが閉成状態に切り替わり、電解コンデンサＣ１０２と電解コンデンサＣ１０１とが導通され、電解コンデンサＣ１０２と電解コンデンサＣ１０１とが並列に接続された状態となる。この結果、電解コンデンサＣ１０１に蓄積された電荷が瞬時に電解コンデンサＣ１０２に移動し、電圧Ｖｂｐの値が迅速に１１［Ｖ］未満（正常範囲内）まで低下する。
【０２３３】
そして、前述の図８と同様、時刻ｔ６０で、操作者がテープ印字装置１に定格電圧が９［Ｖ］の適正アダプタ３４ａを装着すると、電圧Ｖｂｐの値が９［Ｖ］まで上昇する。
【０２３４】
その後、前述の図８と同様、上記時刻ｔ５０からあまり時間が経過していない時刻ｔ７０で、操作者が電源キーをオン操作すると、スリープ状態の制御基板部３７がアクティブ状態とされる。
【０２３５】
そして、前述の図８と同様、時刻ｔ８０で、再度、電圧Ｖ９８の値が２．２［Ｖ］以上であるか否かの判定が行われることで、接続異常状態の検出が行われる。このときの電圧Ｖｂｐの値は１１［Ｖ］よりも低いので、このときの電圧Ｖ９８の値は２．２［Ｖ］よりも低い。したがって、上記判定において電圧Ｖ９８の値が２．２［Ｖ］未満であると判定され、接続異常状態が検出されず、アクティブ状態の制御基板部３７が維持される。
【０２３６】
＜第３実施形態による効果＞
以上説明したように、本実施形態においては、テープ印字装置１に高電圧アダプタ３４ｂが装着されると、切替機構３３Ｄが開放状態に切り替わり、高電圧アダプタ３４ｂと電解コンデンサＣ１０１とを導通すると共に、電解コンデンサＣ１０１と電解コンデンサＣ１０２とを非導通とする。この結果、高電圧アダプタ３４ｂのＤＣプラグ３４ＥからＤＣジャック３３を介して供給される正常範囲よりも高いアダプタ電圧Ｖａｄに対応する電荷を、電解コンデンサＣ１０１に蓄積させつつ電解コンデンサＣ１０２に蓄積させないようにすることができる。そして、テープ印字装置１から高電圧アダプタ３４ｂが取り外されると、切替機構３３Ｄが閉成状態に切り替わり、電解コンデンサＣ１０１と電解コンデンサＣ１０２とを導通する（電解コンデンサＣ１０１と電解コンデンサＣ１０２とが並列に接続された状態とする）。この結果、電解コンデンサＣ１０１に蓄積された電荷を瞬時に電解コンデンサＣ１０２に移動させ、迅速に電圧Ｖｂｐを正常範囲内まで低下させることが可能となる。
【０２３７】
これにより、テープ印字装置１から高電圧アダプタ３４ｂが取り外され、その後テープ印字装置１に適正アダプタ３４ａが装着され、高電圧アダプタ３４ｂが取り外されてからあまり時間が経過していないときに制御基板部３７がアクティブ状態とされる場合でも、制御基板部３７がアクティブ状態とされるよりも前に、電圧Ｖｂｐを正常範囲内まで低下させておくことができるので、テープ印字装置１に適正アダプタ３４ａが装着されているにも拘らずエラー処理が行われるという不具合を回避することができる。
【０２３８】
また、本実施形態では特に、電解コンデンサＣ１０２は、電解コンデンサＣ１０１よりも静電容量が大きくなっている。これにより、電解コンデンサＣ１０１から放出される電荷を電解コンデンサＣ１０２が確実に吸収することができるので、電圧Ｖｂｐを確実に正常範囲内まで低下させることができる。
【０２３９】
また、本実施形態では特に、電解コンデンサＣ１０２は、電池収納部２７と並列に接続される。これにより、電池収納部２７に電池３８が収納されるときには、電池３８の電池電圧Ｖｂの脈動成分を平滑化することで、電池３８の寿命を延ばすことができる。
【０２４０】
なお、第３実施形態は、上記内容に限られるものではなく、その趣旨及び技術的思想を逸脱しない範囲内で種々の変形が可能である。
【０２４１】
すなわち、上記第３実施形態では、電解コンデンサＣ１０２の静電容量は、電解コンデンサＣ１０１の静電容量よりも大きくなっていたが、これに限られない。例えば、電解コンデンサＣ１０２の静電容量は、電解コンデンサＣ１０１の静電容量とほぼ等しくてもよい。例えば、電解コンデンサＣ１０１，Ｃ１０２の静電容量は、それぞれ２２００［μＦ］となっていてもよい。この場合でも、電解コンデンサＣ１０１から放出される電荷を電解コンデンサＣ１０２が吸収することができるので、電圧Ｖｂｐを正常範囲内まで低下させることができる。
【０２４２】
なお、本発明は、上記各実施形態等に限られるものではなく、その趣旨及び技術的思想を逸脱しない範囲内で種々の変形が可能である。以下、そのような変形例について説明する。
【０２４３】
（１）他の外部電源装置を用いる場合
上記各実施形態等では、外部電源装置としてＡＣアダプタ３４を用いる場合について説明したが、これに限られない。例えば、外部電源装置として、図２３に示すようなシガープラグ付きの電源コードユニット１３４を用いてもよい。
【０２４４】
電源コードユニット１３４は、上記ＡＣアダプタ３４と同等の出力電圧特性を備えており、シガーソケット（図示せず）側に接続されるシガープラグ１３４Ｃと、シガープラグ１３４Ｃと接続された電圧変換部（図示せず）と、電圧変換部と接続されたＤＣプラグ１３４Ｅ（給電端子に相当）とを有する。ＤＣプラグ１３４Ｅは、上記テープ印字装置１のＤＣジャック３３に接続可能であり、正極側の第１端子１３４Ａと、負極側の第２端子（図示せず）とを有する。
【０２４５】
本変形例においても、上記各実施形態等と同様の効果を得ることができる。
【０２４６】
（２）その他
上記各実施形態等では、電圧Ｖｂｐの分圧である電圧Ｖ９８の値を電圧しきい値と比較することで各種判定を行ったが、これに限られない。例えば、電圧Ｖｂｐの値そのものを電圧しきい値と比較することで各種判定を行ってもよい。この場合も、上記各実施形態等と同様の効果を得ることができる。
【０２４７】
なお、以上の説明において、「垂直」「平行」「平面」等の記載がある場合には、当該記載は厳密な意味ではない。すなわち、それら「垂直」「平行」「平面」等とは、設計上、製造上の公差、誤差が許容され、「実質的に垂直」「実質的に平行」「実質的に平面」等という意味である。
【０２４８】
また、以上の説明において、外観上の寸法や大きさが「同一」「等しい」「異なる」等の記載がある場合は、当該記載は厳密な意味ではない。すなわち、それら「同一」「等しい」「異なる」等とは、設計上、製造上の公差、誤差が許容され、「実質的に同一」「実質的に等しい」「実質的に異なる」等という意味である。但し、例えばしきい値や基準値等、所定の判定基準となる値あるいは区切りとなる値の記載がある場合は、それらに対しての「同一」「等しい」「異なる」等は、上記とは異なり、厳密な意味である。
【０２４９】
また、図４〜図７、図１７、図１８、図２０、及び図２１中に示す矢印は、信号の流れの一例を示すものであり、信号の流れ方向を限定するものではない。
【０２５０】
また、図１０、図１２、図１４、図１６、及び図１９に示すフローチャートは、本発明を図示する手順に限定するものではなく、発明の趣旨及び技術的思想を逸脱しない範囲内で手順の追加・削除又は順番の変更等をしてもよい。
【０２５１】
また、以上既に述べた以外にも、上記各実施形態や各変形例による手法を適宜組み合わせて利用してもよい。
【０２５２】
その他、一々例示はしないが、本発明は、その趣旨を逸脱しない範囲内において、種々の変更が加えられて実施されるものである。
【符号の説明】
【０２５３】
１              テープ印字装置（印刷装置）
６              キー（操作手段）
９              液晶ディスプレイ
１２            被印字テープ（被印字媒体）
２２            サーマルヘッド（印字手段）
２７            電池収納部
３３            ＤＣジャック（受電端子）
３３Ａ          第１端子
３３Ｃ          ブレーク接点
３３Ｄ          切替機構
３４            ＡＣアダプタ（外部電源装置）
３４ａ          適正アダプタ（第１外部電源装置、第１ＡＣアダプタ）
３４ｂ          高電圧アダプタ（第２外部電源装置、第２ＡＣアダプタ）
３４Ｅ          ＤＣプラグ（給電端子）
３８            電池
３９            負荷
４７            定電圧回路（入力部）
４８            Ａ／Ｄ入力部
５１            ＣＰＵ
５４            ＲＯＭ
５５            ＲＡＭ
１３４          電源コードユニット
１３４Ｅ        ＤＣプラグ（給電端子）
Ｃ１０１        電解コンデンサ（蓄電手段、第１蓄電手段、第１コンデンサ）
Ｃ１０２        電解コンデンサ（第２蓄電手段、第２コンデンサ）
【図１】
2016165829.tif 000003
【図２】
2016165829.tif 000004
【図３】
2016165829.tif 000005
【図４】
2016165829.tif 000006
【図５】
2016165829.tif 000007
【図６】
2016165829.tif 000008
【図７】
2016165829.tif 000009
【図８】
2016165829.tif 000010
【図９】
2016165829.tif 000011
【図１０】
2016165829.tif 000012
【図１１】
2016165829.tif 000013
【図１２】
2016165829.tif 000014
【図１３】
2016165829.tif 000015
【図１４】
2016165829.tif 000016
【図１５】
2016165829.tif 000017
【図１６】
2016165829.tif 000018
【図１７】
2016165829.tif 000019
【図１８】
2016165829.tif 000020
【図１９】
2016165829.tif 000021
【図２０】
2016165829.tif 000022
【図２１】
2016165829.tif 000023
【図２２】
2016165829.tif 000024
【図２３】
2016165829.tif 000025